(57)【要約】【課題】目的とする無線タグ回路素子に対応した情報を格納したデータベースに容易かつ素早くアクセスし、情報を取得する。【解決手段】無線タグ回路素子Ｔoに関わる情報の管理を行う無線タグ情報管理装置２であって、無線タグ回路素子Ｔoと無線通信を行うアンテナ１４と、データベース２０１に関連づけられるデータベースコード部分と無線タグ回路素子Ｔoの対象物に関連づけられる対象物コード部分とを備えたタグＩＤを生成する信号処理回路２２及び高周波回路送信部３２とを有し、その生成したタグＩＤをアンテナ１４を介しＩＣ回路部１５１に書き込む。【選択図】  図２
2006209264.tif 000002
【特許請求の範囲】
【請求項１】
無線タグ回路素子に関わる情報の管理を行う無線タグ情報管理装置であって、
前記無線タグ回路素子と無線通信を行うためのアンテナ手段と、
前記無線タグ回路素子に対応した情報を格納保持するデータベースに関連づけられるデータベースコード部分と当該無線タグ回路素子の対象物に関連づけられる対象物コード部分とを備えた、無線タグ回路素子書き込み用のタグ識別情報を生成するタグ識別情報生成手段と、
このタグ識別情報生成手段で生成した前記タグ識別情報を、前記アンテナ手段を介して前記ＩＣ回路部に書き込む書き込み手段とを有することを特徴とする無線タグ情報管理装置。
【請求項２】
請求項１記載の無線タグ情報管理装置において、
前記データベースとして、少なくとも、前記対象物の対象物識別情報とこれに対応する前記無線タグ回路素子の前記タグ識別情報との相関情報を格納保持する第１データベースを備えた記憶装置と、
前記第１データベースにアクセスを行う第１データアクセス手段とを有することを特徴とする無線タグ情報管理装置。
【請求項３】
請求項２記載の無線タグ情報管理装置において、
前記タグ識別情報生成手段は、前記データベースコード部分として、当該第１データベースを備えた無線タグ情報管理装置に係る装置識別情報の少なくとも一部を含む、前記タグ識別情報を生成することを特徴とする無線タグ情報管理装置。
【請求項４】
請求項２又は３記載の無線タグ情報管理装置において、
前記タグ識別情報生成手段は、前記データベースコード部分として、前記第１データベースを備えた前記無線タグ情報管理装置のネットワークの物理アドレス、論理アドレス、及び固有識別番号のうち少なくとも１つの符号の少なくとも一部を備えた前記タグ識別情報を生成することを特徴とする無線タグ情報管理装置。
【請求項５】
請求項１記載の無線タグ情報管理装置において、
前記データベースとして、少なくとも、前記対象物の対象物識別情報とこれに対応する前記無線タグ回路素子の前記タグ識別情報との相関情報を格納保持した装置外の第２データベースにアクセスを行う第２データアクセス手段とを有することを特徴とする無線タグ情報管理装置。
【請求項６】
請求項２乃至５のいずれか１項記載の無線タグ情報管理装置において、
前記第１又は第２データベースに対し前記対象物コード部分に割り当て可能なコード内容を問い合わせる問い合わせ信号を生成する問い合わせ信号生成手段を有し、
前記タグ識別情報生成手段は、前記問い合わせ信号に対する前記第１又は第２データベースからの返答結果に応じて、前記タグ識別情報を生成することを特徴とする無線タグ情報管理装置。
【請求項７】
請求項１乃至６のいずれか１項記載の無線タグ情報管理装置において、
前記無線タグ回路素子と関連づけられる被印字媒体を繰り出す駆動手段と、
前記被印字媒体に所定の印字を行う印字手段とを有することを特徴とする無線タグ情報管理装置。
【請求項８】
読み取り対象の無線タグ回路素子と無線通信を行うためのアンテナ手段と、
このアンテナ手段により読み取られた前記無線タグ回路素子のタグ識別情報に含まれるデータベースコード部分を抽出し、その抽出したデータベースコード部分に対応するデータベースを決定する決定手段とを有することを特徴とする無線タグ情報読み取り装置。
【請求項９】
情報を記憶するＩＣ回路部とこのＩＣ回路部に接続されるアンテナとを備えた無線タグ回路素子を有する無線タグであって、
前記無線タグ回路素子の前記ＩＣ回路部は、
前記無線タグ回路素子に対応した情報を格納保持するデータベースに関連づけられるデータベースコード部分と当該無線タグ回路素子の対象物に関連づけられる対象物コード部分とを備えたタグ識別情報を保持していることを特徴とする無線タグ。
【発明の詳細な説明】
【技術分野】
【０００１】
本発明は、外部と情報の無線通信が可能な無線タグに対しアクセスを行うための無線タグ情報管理装置及び無線タグ情報読み取り装置に関する。
【背景技術】
【０００２】
小型の無線タグとリーダ（読み取り装置）／ライタ（書き込み装置）との間で非接触で情報の読み取り／書き込みを行うＲＦＩＤ（Ｒａｄｉｏ
Ｆｒｅｑｕｅｎｃｙ Ｉｄｅｎｔｉｆｉｃａｔｉｏｎ）システムが知られている。
【０００３】
例えばラベル状の無線タグに備えられた無線タグ回路素子は、所定の無線タグ情報を記憶するＩＣ回路部とこのＩＣ回路部に接続されて情報の送受信を行うアンテナとを備えており、無線タグが汚れている場合や見えない位置に配置されている場合であっても、リーダ／ライタ側よりＩＣ回路部の無線タグ情報に対してアクセス（情報の読み取り／書き込み）が可能であり、商品管理や検査工程等の様々な分野において実用が期待されている。
【０００４】
ここで、無線タグ回路素子のＩＣ回路部の記憶容量はそれほど大きくなく誓願あることから、一般に、ＩＣ回路部には所定の識別情報（タグＩＤ）を記憶させておき、これに対応する対象物の物品情報自体は別のデータベースに格納保持しておくことが多い。そして、例えば対象物に関わる無線タグ回路素子の識別情報をリーダにて読み取り、その読みとった識別情報に基づきデータベースを検索することにより、当該対象物に関わる物品情報を取得する。
【０００５】
このような従来技術の一例としては、例えば特許文献１に記載の情報処理システムがある。この情報処理システムでは、店舗の各売場ごとに設けられた読み取り装置（基地局）と、店舗とは別の場所に設けられたデータベース及びサーバとが通信ネットワークによって接続されている。店舗の各売場に陳列された各商品に添付された無線タグのタグＩＤが読み取り装置（無線局）によって読みとられると、このタグＩＤはサーバへ送信される。サーバは当該タグＩＤに基づきデータベース内に格納保持された情報を検索し、このタグＩＤに対応する商品の各種物品情報（商品カタログ情報、在庫情報、売上げ記録等）を抽出取得する。こうして取得された当該商品の物品情報は、各売場の基地局を介しサーバに入力される店員が所持する携帯操作端末からの操作信号に基づき、所定の処理が行われるようになっている。
【０００６】
【特許文献１】特開２００１−１４７７７０号公報
【発明の開示】
【発明が解決しようとする課題】
【０００７】
上記したように、無線タグはラベル状（＝無線タグラベル）として対象物である商品や物品とともに取り扱われる（例えば添付、貼り付け、同梱等）場合が多い。このとき、その無線タグ回路素子内部に記憶されたタグＩＤとは別に、当該タグ情報や対応する物品情報等に関連した情報をラベルに印字して使用するようにすれば、ユーザ側から上記関連情報を視認できて何かと便利である。そこで、近年、無線タグ回路素子への情報読み取り／書き込みとラベルへの印字とを併せて行い無線タグラベルを作成するタグラベル作成装置が考えられつつある。
【０００８】
このタグラベル作成装置では、操作者のタグラベル作成の旨の操作指示信号に基づき、無線タグ回路素子を所定間隔で配置したテープ等のラベル素材をロールから繰り出しつつ、各無線タグ回路素子のＩＣ回路部に対しアクセスして上記タグＩＤの読み取り／書き込みを行い、さらにその後各ラベルに所定の印字を行い、これによりタグラベルを連続的に生成するようになっている。
【０００９】
そこで、上記のようなタグラベル作成装置に上記従来技術の情報処理システムの構成を適用し、タグラベル作成装置、サーバ、データベース、操作端末をネットワークで接続し、上記ＩＣ回路部のアクセスにより読み取り／書き込みが行わわれるタグＩＤとデータベース内の物品情報とを関連づけることが考えられる。この場合、操作端末からの操作信号がタグラベル作成装置に入力されると、タグラベル作成装置のタグアクセス機能によって無線タグ回路素子のＩＤ回路部にアクセスしてタグＩＤの読み取り／書き込みが行われ、また印字機能によって対応する印字情報がタグラベルに印字される。またタグラベル作成装置より当該タグＩＤに基づく問い合わせ信号がネットワークを介してデータベースへ出力されるとともに、その返答信号（検索結果等）はネットワークを介してタグラベル作成装置側へと入力される。
【００１０】
ここで、上記のように、タグラベル作成装置よりタグＩＤに基づく問い合わせをデータベースへ行う際、検索対象となるデータベースが複数ある場合には、当該タグＩＤに対応するデータベースがどれであるかを特定できないため、各データベースそれぞれについて問い合わせを行わなければならない。このため、目的とする無線タグ回路素子に対応した情報を格納したデータベースに容易かつ素早くアクセスして当該情報を取得するのは困難であった。
【００１１】
本発明の目的は、目的とする無線タグ回路素子に対応した情報を格納したデータベースに容易かつ素早くアクセスし、情報を取得できる無線タグ情報管理装置及び無線タグ情報読み取り装置並びに無線タグを提供することにある。
【課題を解決するための手段】
【００１２】
上記目的を達成するために、第１の発明は、無線タグ回路素子に関わる情報の管理を行う無線タグ情報管理装置であって、前記無線タグ回路素子と無線通信を行うためのアンテナ手段と、前記無線タグ回路素子に対応した情報を格納保持するデータベースに関連づけられるデータベースコード部分と当該無線タグ回路素子の対象物に関連づけられる対象物コード部分とを備えた、無線タグ回路素子書き込み用のタグ識別情報を生成するタグ識別情報生成手段と、このタグ識別情報生成手段で生成した前記タグ識別情報を、前記アンテナ手段を介して前記ＩＣ回路部に書き込む書き込み手段とを有することを特徴とする。
【００１３】
本願第１発明においては、無線タグ回路素子に情報書き込みを行う際には、タグ識別情報生成手段が無線タグ回路素子書き込み用のタグ識別情報を生成し、書き込み手段がその生成されたタグ識別情報をアンテナ手段を介して書き込み対象の無線タグ回路素子に書き込む。このとき、タグ識別情報生成手段で生成したタグ識別情報に、データベースコード部分と対象物コード部分とが備えられていることにより、書き込み後の無線タグ回路素子に対し後に情報読み取りを行った際、タグ識別情報に含まれるデータベースコード部分を取得し、その情報に基づき、当該無線タグ回路素子に対応した情報がどのデータベースに格納保持されているかを容易に判別できる。この結果、当該データベースに容易かつ素早くアクセスして、目的とする無線タグ回路素子に対応した情報を確実に取得することができる。
【００１４】
第２発明は、上記第１発明において、前記データベースとして、少なくとも、前記対象物の対象物識別情報とこれに対応する前記無線タグ回路素子の前記タグ識別情報との相関情報を格納保持する第１データベースを備えた記憶装置と、前記第１データベースにアクセスを行う第１データアクセス手段とを有することを特徴とする。
【００１５】
第１データアクセス手段で無線タグ情報管理装置の記憶装置に備えられた第１データベースに容易かつ素早くアクセスし、目的とする無線タグ回路素子に対応した情報を確実に取得することができる。
【００１６】
第３発明は、上記第２発明において、前記タグ識別情報生成手段は、前記データベースコード部分として、当該第１データベースを備えた無線タグ情報管理装置に係る装置識別情報の少なくとも一部を含む、前記タグ識別情報を生成することを特徴とする。
【００１７】
無線タグと通信を行い無線タグラベルを作成する装置側にデータベースを備えていない通常のシステム構成の場合、例えば複数の上記装置とネットワーク接続された１つの大容量の（装置外）データベースに相関情報を記憶させる。そして、以降、上記装置側で作成した無線タグラベルの情報を読み取り装置で読みとった際、各読み取り装置より（装置外）データベースにアクセスを行い、上記相関情報を得る。
【００１８】
ここで、本願第３発明においては、上記のような装置外の共通の大容量データベースを備えず、各無線タグ情報管理装置それぞれにおいて記憶装置内に第１データベースが構築されているため、そのままでは無線タグラベルの情報を読み取り装置で読みとった際にどの無線タグ情報管理装置の第１データベースにアクセスを行えばよいかが不明である。そこで、本願第３発明においては、タグ識別情報生成手段がタグ識別情報を生成する際、当該第１データベースを備えた無線タグ情報管理装置の装置識別情報の少なくとも一部を含んだタグ識別情報を生成する。これにより、無線タグラベルの情報を読み取り装置で読みとった際、どの無線タグ情報管理装置の第１データベースにアクセスを行えばよいかの情報を容易に取得でき、当該第１データベースより対応する相関情報を確実に得ることができる。
【００１９】
第４発明は、上記第２又は第３発明において、前記タグ識別情報生成手段は、前記データベースコード部分として、前記第１データベースを備えた前記無線タグ情報管理装置の物理アドレス、論理アドレス、及び固有番号のうち少なくとも１つの符号の少なくとも一部を備えた前記タグ識別情報を生成することを特徴とする。
【００２０】
データベースコード部分に備えられた無線タグ情報管理装置の物理アドレス、論理アドレス、固有番号等を用いて、目的とする無線タグ回路素子に対応した情報を格納保持した第１データベースを備えた無線タグ情報管理装置を容易に特定することができる。
【００２１】
第５発明は、上記第１発明において、前記データベースとして、少なくとも、前記対象物の対象物識別情報とこれに対応する前記無線タグ回路素子の前記タグ識別情報との相関情報を格納保持した装置外の第２データベースにアクセスを行う第２データアクセス手段とを有することを特徴とする。
【００２２】
第２データアクセス手段で無線タグ情報管理装置外に備えられた第２データベースに容易かつ素早くアクセスし、目的とする無線タグ回路素子に対応した情報を確実に取得することができる。
【００２３】
第６発明は、上記第２乃至第５発明のいずれか１つにおいて、前記第１又は第２データベースに対し前記対象物コード部分に割り当て可能なコード内容を問い合わせる問い合わせ信号を生成する問い合わせ信号生成手段を有し、前記タグ識別情報生成手段は、前記問い合わせ信号に対する前記第１又は第２データベースからの返答結果に応じて、前記タグ識別情報を生成することを特徴とする。
【００２４】
問い合わせ信号生成手段で生成した問い合わせ信号を用い、対象物コード部分に割り当て可能なコード内容を問い合わせ、その返答結果を取得することで、タグ識別情報生成手段がその返答結果に応じた対象物コードを割り当てて無線タグ回路素子書き込み用のタグ識別情報を生成する、いわゆる自動割り当て（採番）が可能となる。
【００２５】
第７発明は、上記第１乃至第６発明のいずれか１つにおいて、前記無線タグ回路素子と関連づけられる被印字媒体を繰り出す駆動手段と、前記被印字媒体に所定の印字を行う印字手段とを有することを特徴とする。
【００２６】
駆動手段で無線タグ回路素子と関連づけられる被印字媒体を繰り出し、その繰り出した被印字媒体に印字手段で所定の印字を行う。これにより、その印字済みの被印字媒体を用いて、無線タグ回路素子と関連づけられた印字ラベル（無線タグ回路素子を備えたタグラベルや無線タグ回路素子と貼り合わされる印字ラベル等）を作成することができる。
【００２７】
上記目的を達成するために、第８の発明は、読み取り対象の無線タグ回路素子と無線通信を行うためのアンテナ手段と、このアンテナ手段により読み取られた前記無線タグ回路素子のタグ識別情報に含まれるデータベースコード部分を抽出し、その抽出したデータベースコード部分に対応するデータベースを決定する決定手段とを有することを特徴とする。
【００２８】
本願第８発明の無線タグ情報読み取り装置においては、アンテナ手段で読みとられたタグ識別情報にデータベースコード部分が含まれており、無線タグ回路素子に対し情報読み取りが行われると、タグ識別情報に含まれるデータベースコード部分が抽出され取得される。そして、決定手段が、その取得したデータベースコード部分に基づき対応するデータベースを決定することにより、当該無線タグ回路素子に対応した情報がどのデータベースに格納保持されているかが特定される。この結果、当該データベースに容易かつ素早くアクセスして、目的とする無線タグ回路素子に対応した情報を確実に取得することができる。
【００２９】
上記目的を達成するために、本願第９発明は、情報を記憶するＩＣ回路部とこのＩＣ回路部に接続されるアンテナとを備えた無線タグ回路素子を有する無線タグであって、前記無線タグ回路素子の前記ＩＣ回路部は、前記無線タグ回路素子に対応した情報を格納保持するデータベースに関連づけられるデータベースコード部分と当該無線タグ回路素子の対象物に関連づけられる対象物コード部分とを備えたタグ識別情報を保持していることを特徴とする。
【００３０】
無線タグ回路素子のＩＣ回路部に記憶保持されたタグ識別情報に、データベースコード部分と対象物コード部分とが備えられていることにより、このＩＣ回路部に対して例えば通常の無線タグ情報読み取り装置（いわゆるスキャナ、リーダ）で情報読み取りを行うだけで、タグ識別情報に含まれるデータベースコード部分を取得できる。これにより、その情報に基づき、当該無線タグ回路素子に対応した情報がどのデータベースに格納保持されているかを容易に判別できるので、当該データベースに容易かつ素早くアクセスして、目的とする無線タグ回路素子に対応した情報を確実に取得することができる。
【発明の効果】
【００３１】
本発明によれば、目的とする無線タグ回路素子に対応した情報を格納したデータベースに容易かつ素早くアクセスし、情報を取得することができる。
【発明を実施するための最良の形態】
【００３２】
以下、本発明の一実施の形態を図面を参照しつつ説明する。
【００３３】
図１は、本実施形態の無線タグ情報管理装置を備えた無線タグ情報管理システムを表すシステム構成図である。
【００３４】
図１に示すこの無線タグ情報管理システム１において、無線タグ情報管理装置（無線タグ情報通信装置）２は、有線あるいは無線による通信回線３を介してルートサーバ４、端末５（操作端末）、汎用コンピュータ６、情報サーバ７、及びスキャナ５００（無線タグ情報読み取り装置）に接続されている。
【００３５】
端末５は、例えばいわゆるマイクロコンピュータであり、詳細な図示を省略するが、中央演算処理装置であるＣＰＵ、ＲＯＭ、ＲＡＭ、マウス・キーボード等の操作手段、ディスプレイ等の表示手段等から構成され、操作手段の操作に基づき、ＲＡＭの一時記憶機能を利用しつつＲＯＭに予め記憶されたプログラムに従って信号処理を行い、また表示手段に所定の表示を行うようになっている。
【００３６】
図２は、上記無線タグ情報管理装置２の詳細構造を表す概念的構成図である。
【００３７】
図２において、無線タグ情報管理装置２の装置本体８には、凹所としてのカートリッジホルダ部（図示せず）が設けられ、このホルダ部に、カートリッジ１００が着脱可能に取り付けられている。
【００３８】
装置本体８は、第２ロール１０４から繰り出されるカバーフィルム（被印字媒体）１０３に所定の印字（印刷）を行う印字ヘッド（サーマルヘッド、印字手段）１０と、カバーフィルム１０３への印字が終了したインクリボン１０５を駆動するリボン巻取りローラ駆動軸１１と、カバーフィルム１０３と第１ロール（タグテープロール）１０２から繰り出される基材テープ（タグテープ）１０１とを貼り合わせつつ印字済タグラベル用テープ１１０としてカートリッジ１００から繰り出すための圧着ローラ駆動軸（駆動手段）１２と、印字済タグラベル用テープ１１０に備えられる無線タグ回路素子Ｔo（詳細は後述）との間でＵＨＦ帯等の高周波を用いて無線通信により信号の送受を行うアンテナ（アンテナ手段）１４と、上記印字済タグラベル用テープ１１０を所定のタイミングで所定の長さに切断しラベル状の無線タグラベルＴ（無線タグ、詳細は後述）を生成するカッタ１５と、無線タグラベルＴを搬出口（排出口）１６へと搬送し送出する送出ローラ１７と、それらを収納するように外郭を構成し、カートリッジ１００を着脱可能に嵌合させる上記カートリッジホルダ部及び上記搬出口１６を備える筐体（ハウジング）９とを有する。
【００３９】
アンテナ１４は、一方側（この例では図２の紙面に向かって手前側）に指向性を備えた指向性アンテナ（この例では周知であり、図示および詳細な説明を省略するパッチアンテナ）で構成されるとともに上記第１ロール１０２の軸方向（図２の紙面に向かって奥側）近傍に配置されており、第１ロール１０２の基材テープ１０１の送り出し部分近傍領域Ｘと通信可能となるように配置されている。なお、この例では第１ロール１０２の一部が領域Ｘからはずれているが、第１ロール１０２のすべてが領域Ｘに含まれるようにしてもよい。
【００４０】
一方、装置本体８はまた、上記アンテナ１４を介し上記無線タグ回路素子Ｔoへアクセスする（書き込み又は読み取りを行う）ための高周波回路２１と、無線タグ回路素子Ｔoから読み出された信号を処理するための信号処理回路２２と、前述したリボン巻取りローラ駆動軸１１、圧着ローラ駆動軸１２を駆動するカートリッジ用モータ２３と、このカートリッジ用モータ２３の駆動を制御するカートリッジ駆動回路２４と、上記印字ヘッド１０への通電を制御する印刷駆動回路２５と、上記カッタ１５を駆動して切断動作を行わせるソレノイド２６と、そのソレノイド２６を制御するソレノイド駆動回路２７と、上記送出ローラ１７を駆動する送出ローラ用モータ２８と、上記高周波回路２１、信号処理回路２２、カートリッジ駆動回路２４、印刷駆動回路２５、ソレノイド駆動回路２７、送出ローラ駆動回路２９等を介し、無線タグ情報管理装置２全体の動作を制御するための制御回路３０と、各種データベース２０１（第１データベース）を備え、例えば不揮発性のハードディスク等からなる記憶装置２００とを有する。
【００４１】
制御回路３０は、いわゆるマイクロコンピュータであり、詳細な図示を省略するが、中央演算処理装置であるＣＰＵ、ＲＯＭ、及びＲＡＭ等から構成され、ＲＡＭの一時記憶機能を利用しつつＲＯＭに予め記憶されたプログラムに従って信号処理を行うようになっている。またこの制御回路３０は、入出力インターフェイス３１を介し例えば通信回線に接続され、この通信回線に接続された前述のルートサーバ４、他の端末５、汎用コンピュータ６、及び情報サーバ７等との間で情報や信号のやりとり（端末５からの操作信号の入力等を含む）が可能となっている。
【００４２】
図３は、上記カートリッジ１００の詳細構造を説明するための説明図である。
【００４３】
この図３において、カートリッジ１００は、筐体１００Ａと、この筐体１００Ａ内に配置され帯状の上記基材テープ１０１が巻回された上記第１ロール１０２と、上記基材テープ１０１と略同じ幅である透明な上記カバーフィルム１０３が巻回された上記第２ロール１０４と、上記インクリボン１０５（熱転写リボン、但しカバーフィルムが感熱テープの場合は不要）を繰り出すリボン供給側ロール１１１と、印字後のリボン１０５を巻取るリボン巻取りローラ１０６と、上記基材テープ１０１と上記カバーフィルム１０３とを押圧し接着させ上記印字済タグラベル用テープとしつつ矢印Ａで示す方向にテープ送りをする（＝テープ送りローラとしても機能する）圧着ローラ１０７とを有する。
【００４４】
第１ロール１０２は、リール部材１０２ａの周りに、長手方向に複数の無線タグ回路素子Ｔoが所定の等間隔で順次形成された上記基材テープ１０１を巻回している。
【００４５】
基材テープ１０１はこの例では４層構造となっており（図３中部分拡大図参照）、内側に巻かれる側（図３中右側）よりその反対側（図３中左側）へ向かって、適宜の粘着材からなる粘着層１０１ａ、ＰＥＴ（ポリエチレンテレフタラート）等から成る色付きのベースフィルム１０１ｂ、適宜の粘着材からなる粘着層１０１ｃ、剥離紙１０１ｄの順序で積層され構成されている。
【００４６】
ベースフィルム１０１ｂの裏側（図３中左側）には、情報の送受信を行うアンテナ（タグ側アンテナ）１５２が一体的に設けられており、これに接続するように情報を更新可能に（書き換え可能rewritableに）記憶するＩＣ回路部１５１が形成され、これらによって無線タグ回路素子Ｔoが構成されている。
【００４７】
ベースフィルム１０１ｂの表側（図３中右側）には、後にカバーフィルム１０３を接着するための上記粘着層１０１ａが形成され、またベースフィルム１０１ｂの裏側（図３中左側）には、無線タグ回路素子Ｔoを内包するように設けた上記粘着層１０１ｃによって上記剥離紙１０１ｄがベースフィルム１０１ｂに接着されている。なお、この剥離紙１０１ｄは、最終的にラベル状に完成した無線タグラベルＴが所定の商品等に貼り付けられる際に、これを剥がすことで粘着層１０１ｃにより当該商品等に接着できるようにしたものである。
【００４８】
第２ロール１０４は、リール部材１０４ａの周りに上記カバーフィルム１０３を巻回している。第２ロール１０４より繰り出されるカバーフィルム１０３は、その裏面側（すなわち上記基材テープ１０１と接着される側）に配置された上記リボン供給側ロール１１１及び上記リボン巻取りローラ１０６で駆動されるリボン１０５が、上記印字ヘッド１０に押圧されることで当該カバーフィルム１０３の裏面に当接させられるようになっている。
【００４９】
リボン巻取りローラ１０６及び圧着ローラ１０７は、それぞれカートリッジ１００外に設けた例えばパルスモータである上記カートリッジ用モータ２３（前述の図２参照）の駆動力が上記リボン巻取りローラ駆動軸１１及び上記圧着ローラ駆動軸１２に伝達されることによって回転駆動される。
【００５０】
上記構成のカートリッジ１００において、上記第１ロール１０２より繰り出された基材テープ１０１は、圧着ローラ１０７へと供給される。一方、第２ロール１０４より繰り出されるカバーフィルム１０３は、その裏面側（すなわち上記基材テープ１０１と接着される側）に配置されたリボン供給側ロール１１１及びリボン巻取りローラ１０６で駆動されるインクリボン１０５が上記印字ヘッド１０に押圧されて当該カバーフィルム１０３の裏面に当接させられる。
【００５１】
そして、カートリッジ１００が上記装置本体８のカートリッジホルダ部に装着されロールホルダ（図示せず）が離反位置から当接位置に移動されると、カバーフィルム１０３及びインクリボン１０５が印字ヘッド１０とプラテンローラ１０８との間に狭持されるとともに、基材テープ１０１及びカバーフィルム１０３が圧着ローラ１０７とサブローラ１０９との間に狭持される。そして、カートリッジ用モータ２３の駆動力によってリボン巻取りローラ１０６及び圧着ローラ１０７が矢印Ｂ及び矢印Ｄで示す方向にそれぞれ同期して回転駆動される。このとき、前述の圧着ローラ駆動軸１２と上記サブローラ１０９及びプラテンローラ１０８はギヤ（図示せず）にて連結されており、圧着ローラ駆動軸１２の駆動に伴い圧着ローラ１０７、サブローラ１０９、及びプラテンローラ１０８が回転し、第１ロール１０２から基材テープ１０１が繰り出され、上述のように圧着ローラ１０７へ供給される。一方、第２ロール１０４からはカバーフィルム１０３が繰り出される（矢印Ａ参照）とともに、上記印刷駆動回路２５により印字ヘッド１０の複数の発熱素子が通電される。この結果、カバーフィルム１０３の裏面に印字Ｒ（後述の図７参照）が印刷される。そして、上記基材テープ１０１と上記印刷が終了したカバーフィルム１０３とが上記圧着ローラ１０７及びサブローラ１０９により接着されて一体化され、印字済タグラベル用テープとして形成され、カートリッジ１００外へと搬出される。なお、カバーフィルム１０３への印字が終了したインクリボン１０５は、リボン巻取りローラ駆動軸１１の駆動によりリボン巻取りローラ１０６に巻取られる。また、第１ロール１０２の繰り出し近傍にはガイドローラ１２０が設けられており、第１ロール１０２の残量により外径が変化しても装置側のアンテナ１４と無線タグラベルＴの位置関係が所定の範囲となるように規制して、無線タグ回路素子Ｔoとの通信条件を一定に保つようになっている。
【００５２】
図４は、上記高周波回路２１の詳細機能を表す機能ブロック図である。この図４において、高周波回路２１は、アンテナ１４を介し無線タグ回路素子Ｔoに対して信号を送信する送信部３２と、アンテナ１４により受信された無線タグ回路素子Ｔoからの反射波を入力する受信部３３と、送受分離器３４とから構成される。
【００５３】
送信部３２は、無線タグ回路素子ＴoのＩＣ回路部１５１の無線タグ情報にアクセスする(書き込み又は読み取りを行う)ための搬送波を発生させる水晶振動子３５、ＰＬＬ（Phase
Locked Loop）３６、及びＶＣＯ（Voltage Controlled  Oscillator）３７と、上記信号処理回路２２から供給される信号に基づいて上記発生させられた搬送波を変調（この例では信号処理回路２２からの「ＴＸ＿ＡＳＫ」信号に基づく振幅変調）する送信乗算回路３８（但し振幅変調の場合は増幅率可変アンプ等を用いてもよい）と、その送信乗算回路３８により変調された変調波（無線タグ情報）を、制御回路３０からの「ＴＸ＿ＰＷＲ」信号によって増幅率を決定し増幅する可変送信アンプ３９とを備えている。そして、上記発生される搬送波は、好適にはＵＨＦ帯の周波数を用いており、上記送信アンプ３９の出力は、送受分離器３４を介してアンテナ１４に伝達されて無線タグ回路素子ＴoのＩＣ回路部１５１に供給される。なお、無線タグ情報は上記のように変調した信号に限られず、単なる搬送波のみの場合もある。
【００５４】
受信部３３は、アンテナ１４により受信された無線タグ回路素子Ｔoからの反射波と上記発生させられた搬送波とを掛け合わせる受信第１乗算回路４０と、その受信第１乗算回路４０の出力から必要な帯域の信号のみを取り出すための第１バンドパスフィルタ４１と、この第１バンドパスフィルタ４１の出力を増幅して第１リミッタ４２に供給する受信第１アンプ４３と、上記アンテナ１４により受信された無線タグ回路素子Ｔoからの反射波と上記発生された後に移送器４９で位相を９０°遅らせた搬送波とを掛け合わせる受信第２乗算回路４４と、その受信第２乗算回路４４の出力から必要な帯域の信号のみを取り出すための第２バンドパスフィルタ４５と、この第２バンドパスフィルタ４５の出力を入力するとともに増幅して第２リミッタ４６に供給する受信第２アンプ４７とを備えている。そして、上記第１リミッタ４２から出力される信号「ＲＸＳ−Ｉ」及び第２リミッタ４６から出力される信号「ＲＸＳ−Ｑ」は、上記信号処理回路２２に入力されて処理される。
【００５５】
また、受信第１アンプ４３及び受信第２アンプ４７の出力は、ＲＳＳＩ（Received  Signal  Strength  Indicator)回路４８にも入力され、それらの信号の強度を示す信号「ＲＳＳＩ」が信号処理回路２２に入力されるようになっている。このようにして、本実施形態の無線タグ情報管理装置２では、Ｉ−Ｑ直交復調によって無線タグ回路素子Ｔoからの反射波の復調が行われる。
【００５６】
図５は、上記無線タグ回路素子Ｔoの機能的構成を表す機能ブロック図である。  この図５において、無線タグ回路素子Ｔoは、無線タグ情報管理装置２側のアンテナ１４とＵＨＦ帯等の高周波を用いて非接触で信号の送受信を行う上記アンテナ１５２と、このアンテナ１５２に接続された上記ＩＣ回路部１５１とを有している。
【００５７】
ＩＣ回路部１５１は、アンテナ１５２により受信された搬送波を整流する整流部１５３と、この整流部１５３により整流された搬送波のエネルギを蓄積しＩＣ回路部１５１の駆動電源とするための電源部１５４と、上記アンテナ１５２により受信された搬送波からクロック信号を抽出して制御部１５５に供給するクロック抽出部１５６と、所定の情報信号を記憶し得るメモリ部１５７と、上記アンテナ１５２に接続された変復調部１５８と、上記整流部１５３、クロック抽出部１５６、及び変復調部１５８等を介して上記無線タグ回路素子Ｔoの作動を制御するための上記制御部１５５とを備えている。
【００５８】
変復調部１５８は、アンテナ１５２により受信された上記無線タグ情報管理装置２のアンテナ１４からの通信信号の復調を行うと共に、上記制御部１５５からの応答信号に基づき、アンテナ１５２より受信された搬送波を変調反射する。
【００５９】
制御部１５５は、上記変復調部１５８により復調された受信信号を解釈し、上記メモリ部１５７において記憶された情報信号に基づいて返信信号を生成し、上記変復調部１５８により返信する制御等の基本的な制御を実行する。
【００６０】
図６（ａ）及び図６（ｂ）は、上述のようにして無線タグ回路素子Ｔoの情報書き込み及び印字済タグラベル用テープ１１０の切断が完了し形成された無線タグラベルＴの外観の一例を表す図であり、図６（ａ）は上面図、図６（ｂ）は下面図である。また図７は、図６中VII−VII′断面による横断面図である。
【００６１】
これら図６（ａ）、図６（ｂ）、及び図７において、無線タグラベルＴは、図  ３に示した４層構造にカバーフィルム１０３が加わった５層構造となっており、カバーフィルム１０３側（図７中上側）よりその反対側（図７中下側）へ向かって、カバーフィルム１０３、粘着層１０１ａ、ベースフィルム１０１ｂ、粘着層１０１ｃ、剥離紙１０１ｄで５層を構成している。そして、前述のようにベースフィルム１０１ｂの裏側に設けられたアンテナ１５２を含む無線タグ回路素子Ｔoが粘着層１０１ｃ内に備えられるとともに、カバーフィルム１０３の裏面に印字Ｒ（この例では無線タグラベルＴの種類を示す「ＲＦ−ＩＤ」の文字）が印刷されている。
【００６２】
図８は、上述したような無線タグ情報管理装置２による無線タグ回路素子ＴoのＩＣ回路部１５１の無線タグ情報へのアクセス(書き込み又は読み取り)に際して、上記した端末５（又は汎用コンピュータ６でもよい）に表示される画面の一例を表す図である。
【００６３】
図８において、この例では、タグラベル種別、無線タグ回路素子Ｔoに対応して印刷された印字文字Ｒ、その無線タグ回路素子Ｔoに固有のタグＩＤであるアクセス（読み取り又は書き込み）ＩＤ、上記記憶装置２００のデータベース２０１に記憶された（詳細は後述）物品情報（対象物情報）のアドレス、及び上記情報サーバ７やルートサーバ４におけるそれらの関連情報（後述の図１１、図１２参照）の格納先アドレス等が上記端末５（又は汎用コンピュータ６でもよい）に表示可能となっている。
【００６４】
そして、端末５（又は汎用コンピュータ６でもよい）の操作により無線タグ情報管理装置２が作動されて、カバーフィルム１０３に上記印字文字Ｒが印刷されると共に、後述するようにＩＣ回路部１５１に上記書き込みＩＤやさらにこれに対応する物品情報等の対象物情報が書き込まれる（又はＩＣ回路部１５１に予め記憶されたタグＩＤが読みとられる）。
【００６５】
上記のような書き込み（又は読み取り）の際、書き込まれた（又は読み取られた）無線タグラベルＴのタグＩＤ（識別情報）と、その無線タグラベルＴの対象物（無線タグラベルＴが添付、貼着、取り付け、同梱される物品・商品・部材・機械・設備等）の情報（物品情報等の対象物情報）等との対応関係（＝相関情報；いわゆるひも付け情報）は、前述の記憶装置２００のデータベース２０１に記憶され（なお、さらにルートサーバ４に記憶させてもよい）、必要に応じて参照できるようになっている。なおこの相関情報に加えて、上記対象物情報等についても併せて上記データベース２０１に記憶格納してもよい（後述の図１１、図１２参照）。なお、相関情報（いわゆるひも付け情報）のみを記憶装置２００のデータベース２０１に記憶させる場合には、対象物情報等は例えば情報サーバ７（装置外データベース）に参照可能に記憶させればよい。
【００６６】
上記構成の無線タグ情報管理装置２を備えた無線タグ情報管理システム１において、その要部は、自らデータベース２０１を構成する記憶装置２００を備えた無線タグ情報管理装置２がアンテナ１４を介して無線タグ回路素子ＴoにタグＩＤ（タグ識別情報）を書き込む際、そのタグ識別情報が、無線タグ回路素子Ｔoに対応した情報を格納保持するデータベース２０１に関連づけられるデータベースコード部分と当該無線タグ回路素子Ｔoの対象物に関連づけられる対象物コード部分とを備えていることにある。以下、その詳細を順を追って説明する。
【００６７】
図９は、端末（操作端末）５からの操作信号に基づき、上記した無線タグ情報管理装置２の３つの機能（記憶装置アクセス機能、タグ情報アクセス機能、印字機能）がそれぞれ実行される際の概念的なタイムチャートである。
【００６８】
この図９において、実際のデータのやりとりの前に、まず端末５からカートリッジ種別を問い合わせるステータス問い合わせ信号が出力される（ステップＳＳ５０１）。すなわち、カートリッジ１００は、基材テープ１０１に備えられる無線タグ回路素子Ｔoに関連するタグ属性パラメータ（テープ幅、タグ配置間隔、タグ感度等）又は通信パラメータ（周波数、通信プロトコル等）が異なるごとに、それぞれ別の種類のカートリッジとして構成されており、各カートリッジ１００の適宜の箇所に、それらカートリッジ種類を表す情報を含む被検出部が設けられている。そして、無線タグ情報管理装置２のカートリッジホルダ部には、この被検出部のカートリッジ種類情報を読み取る適宜の検出手段（例えばメカニカルスイッチ等の機械的センサ、バーコードスキャナ等の光学的センサあるいは磁気的センサ、無線通信による検出等）が設けられている。このカートリッジ種別に係わる検出結果は例えば制御回路３０に入力され、上記ステータス問い合わせ信号に対応して制御回路３０から上記検出結果に基づくカートリッジ種別情報がステータス応答信号として端末５へ出力される（ステップＳＳ５０２）。
【００６９】
このとき、無線タグ情報管理装置２内の記憶装置２００のデータベース２０１には、詳細には複数のデータベース２０１Ａ，２０１Ｂ，…が含まれている（後述の図１０参照）。操作者が端末５を操作してそれらのうちどのデータベースのデータを用いるかを選択すると、これに応じたデータベース参照指令信号が制御回路３０を介して記憶装置２００へと出力され（ステップＳＳ５０３）、これに応じてデータベースに既に登録されたデータ（＝この例では無線タグラベルＴの対象物情報データ等）のデータレコード（群）が記憶装置２００から抽出されて参照データとして制御回路３０を介して端末５の上記表示手段に例えば一覧表示される（ステップＳＳ５０４）。
【００７０】
操作者は、上記表示手段に表示された参照データを見て、例えばこれから当該データに係わるタグラベルＴを発行するあるいはデータ編集のみを行う等、自分が取り扱おうとしているデータが既に登録されている場合には、その登録データ一覧から当該データの選択を行う（ステップＳＳ５０５）。未登録である場合には、新たに対応するデータベースに当該データの入力を行って登録する（ステップＳＳ５０６）。
【００７１】
このようにしてデータ選択あるいはデータ登録が終了したデータについて、無線タグラベルＴ（但し無線タグ回路素子Ｔoのない単なる印字ラベルの発行も可能である）の発行（＝作成）を行わない場合は、そのまま操作終了となる（ステップＳＳ５０７）。
【００７２】
無線タグラベルＴの発行を行う場合は、端末５において対応する適宜の操作を行うことにより、作成される無線タグラベルＴの外観（印字態様）のイメージが無線タグ情報管理装置２の制御回路３０にて作成され、端末５の表示手段に表示される（ステップＳＳ５０８）。その後、上記のようにして作成されプレビュー表示された無線タグラベルＴの外見イメージは当該データ（対象物情報等）あるいはタグＩＤと関連づけて対応するデータベースに格納保持される（ステップＳＳ５１３）。
【００７３】
そして、以上の段階をふまえて操作者が端末５においてタグ作成（発行）開始の旨を操作（指示）入力すると、前述したようにタグ情報アクセス（＝この例ではデータ書き込み）指令、印字指令、記憶装置アクセス（発行データ登録）指令からなる１つの操作信号が無線タグ情報管理装置２側へ出力される。
【００７４】
それらのうち印字指令信号は制御回路３０を介し印刷駆動回路２５へ入力され（ステップＳＳ５１４）、印字ヘッド１０を駆動してカバーフィルム１０３に対し対応する印字が行われる。
【００７５】
データ書き込みについては、無線タグ回路素子ＴoのタグＩＤの設定（付番）を、自動割り当て方式で行うか、手動入力方式で行うかによって分かれる。
【００７６】
手動入力方式の場合は（ステップＳＳ５４０）、書き込みたいタグＩＤを操作者が自ら設定し当該ＩＤを端末５へ操作入力することにより、上記操作信号に含まれるデータ書き込み指令信号が制御回路３０を介し信号処理回路２２及び高周波回路２１へ入力され（ステップＳＳ５１５）上記設定されたタグＩＤが生成され、その生成されたタグＩＤ等の情報書き込みがアンテナ１４を介し行われる。
【００７７】
自動割り当て（自動採番）方式の場合は（ステップＳＳ５４１）、実際のデータのやりとりの前に、まず端末５から付番を行うためのステータス問い合わせ信号が出力される（ステップＳＳ５４２）。ここで、この無線タグ情報管理装置２の例えば電源投入時に、制御回路３０は当該無線タグ情報管理装置２の装置識別情報（例えばいわゆるイーサネット(登録商標、以下同様)やＭａｃアドレス等の物理アドレスや、ＩＰアドレス等の論理アドレスや、製造番号・シリアル番号あるいは管理者が装置上のスイッチで設定する任意管理番号等からなる装置固有番号など）又はその一部を予め取得しており（あるいは上記ステータス問い合わせ信号入力時等適宜のタイミングでもよい）、上記ステータス問い合わせ信号に対応して制御回路３０から上記予め取得された装置種別情報がステータス応答（通知）信号として端末５へ出力され（ステップＳＳ５４３）、適宜表示手段に表示される。
【００７８】
上記表示されたステータスを確認した操作者が端末５を適宜に操作して自動採番を指示すると、これに応じた自動採番指令信号が制御回路３０を介して記憶装置２００へと出力される（ステップＳＳ５４４）。これに応じて、データベースに既に登録されたデータ（＝この例では無線タグラベルＴの対象物情報データ等）に対してまだ関連づけられていないタグＩＤ採番用の空き番号（＝未使用番号、あるいはその複数の番号の群）が記憶装置２００にて検索され（ステップＳＳ５４５）、その検索抽出結果の空き番号データが制御回路３０を介して端末５の上記表示手段に例えば一覧表示され（ステップＳＳ５４６）、その表示されたタグＩＤ（候補）を確認した操作者が端末５を適宜に操作（複数のタグＩＤ中から選択、１つのタグＩＤを承認等）することで、無線タグラベルＴ作成時に書き込みを行うタグＩＤが決定される（ステップＳＳ５４７）。その後、上記操作信号に含まれるデータ書き込み指令信号が制御回路３０を介し信号処理回路２２及び高周波回路２１へ入力されて（ステップＳＳ５１５）上記決定されたタグＩＤが生成され、その生成されたタグＩＤ等の情報書き込みがアンテナ１４を介し行われる。
【００７９】
また、上記操作信号に含まれる発行データ登録指令は制御回路３０へ入力され、上記データ書き込みが成功した旨の報告信号（ステップＳＳ５１７）及び上記印字が成功した旨の報告信号（ステップＳＳ５１８）が制御回路３０へ入力されるのを待って、これを確認して制御回路３０から当該書き込んだタグＩＤと対象物情報等との相関（ひも付け）情報（あるいはさらに併せて対象物情報も）を記憶装置２００のデータベース２０１へ発行データとして登録する（ステップＳＳ５１９）。そして、登録した旨のデータ書き込み成功報告信号が制御回路３０側より操作端末５へ出力される（ステップＳＳ５２０）。なお、印字又は書き込みが失敗した場合には、その旨のデータ書き込み失敗報告信号（ステップＳＳ５２１Ａ）及び印字失敗報告信号（ステップＳＳ５２１Ｂ）が制御回路３０側より操作端末５へ出力される。そして、操作端末５の表示手段において、それら報告信号に対応する結果表示（成功表示又はエラー表示）が行われる（ステップＳＳ５２２）。
【００８０】
図１０は、上記図９のステップＳＳ５０３にてデータベース参照指令信号が端末５から記憶装置２００へと出力されるにあたり端末５の表示手段において表示されるデータベース選択用の画面である。図１０においては、無線タグ情報管理装置２の上記記憶装置２００のデータベース２０１として社員情報データベース２０１Ａ、物品情報データベース２０１Ｂ、顧客情報データベース２０１Ｃ、特許情報データベース２０１Ｄの４つが備えられている場合を例にとって表している。これら４つのうち選択したデータベース２０１について、前述したようにステップＳＳ５０３にて参照指令信号が記憶装置２００へと出力され、当該データベース２０１からデータレコード（群）が参照データとして端末５の表示手段に表示される。
【００８１】
図１１はこうして表示されたデータレコードの一例を表す図である。この例では、例えば無線タグラベルＴの取扱対象物として社員の名札を作成するために、図１０に示した上記社員情報データベース２０１Ａを選択した場合に参照データとして端末５に表示されるレコードを示している。図示のように、この例では、レコード項目として対象物識別情報としての「社員コード」「氏名」「フリガナ」や「性別コード」「所属部門コード」「内線番号」「電子メールアドレス」「顔写真ファイル名」「ラベル基材色コード」「ラベル印字色コード」「ラベルイメージファイル名」「ＩＤビット長」「タグＩＤ（１６進法表記）」「プロトコルコード」「発行日」「発行理由コード」「有効／無効フラグ」の各欄が設けられている。
【００８２】
これらのうち、「社員コード」「氏名」「フリガナ」「性別コード」「所属部門コード」「内線番号」「電子メールアドレス」「顔写真ファイル名」がいわゆる対象物情報（名札を着用する社員の情報）であり、これら対象物情報と「タグＩＤ」とがこの横一列の表によって関連づけられていることがこれら対象物情報とタグＩＤとの相関情報（ひも付け情報）を実質的に形成している。
【００８３】
また「ラベル基材色コード」「ラベル印字色コード」「ラベルイメージファイル名」「ＩＤビット長」「プロトコルコード」「発行日」「発行理由コード」「有効／無効フラグ」はその他この無線タグラベルＴに関して付随する情報である。
【００８４】
それらのうち「発行理由コード」は「０」であると初回発行（＝新規発行）を表しており、「１」であると故障による不良再発行を表しており、「２」であると紛失再発行を表している。
【００８５】
また「有効／無効フラグ」は「１」であると無線タグ回路素子Ｔoが正常に機能しており、「０」であると無線タグ回路素子Ｔoが正常に機能していない（無線タグ情報管理装置２側のコマンド送信により機能が無効化・休眠化されている場合と、読み取り・書き込みや印字が失敗した状態の場合とを含む）ことを表している。
【００８６】
図１２はデータレコードの他の表示例を表す図である。この例では、例えば無線タグラベルＴの取扱対象物として社内管理部品の管理ラベルを作成するために、図１０に示した上記物品情報データベース２０１Ｂを選択した場合に参照データとして端末５に表示されるレコードを示している。図示のように、この例では、レコード項目として対象物識別情報としての「物品コード」「品名」「型番」や「購入日」「管理部門コード」「管理者コード」「写真ファイル名」「ラベル基材色コード」「ラベル印字色コード」「ラベルイメージファイル名」「ＩＤビット長」「タグＩＤ（１６進法表記）」「プロトコルコード」「発行日」「発行理由コード」「有効／無効フラグ」の各欄が設けられている。
【００８７】
これらのうち、「物品コード」「品名」「型番」「購入日」「管理部門コード」「管理者コード」「写真ファイル名」がいわゆる対象物情報（ラベルを貼る物品の情報）であり、前述と同様、これら対象物情報と「タグＩＤ」とがこの横一列の表によって関連づけられていることがこれら対象物情報とタグＩＤとの相関情報（ひも付け情報）を実質的に形成している。
【００８８】
また前述と同様「ラベル基材色コード」「ラベル印字色コード」「ラベルイメージファイル名」「ＩＤビット長」「プロトコルコード」「発行日」「発行理由コード」「有効／無効フラグ」は無線タグラベルＴに関して付随する情報である。
【００８９】
なお、「発行理由コード」「タグＩＤ」「発行日」「発行理由コード」等の取扱いは前述と同様であるので、説明を省略する。
【００９０】
図１３は、上記図９のステップＳＳ５０８にて端末５にて操作者が無線タグラベルＴの外観（印字態様）のイメージを確認した後（あるいはそれよりも前の適宜のタイミングでもよい）、前述の無線タグ回路素子ＴoのタグＩＤの設定（付番）を自動割り当て方式で行うか手動入力方式で行うかを選択するために操作を行うために表示手段において表示される選択操作用の画面である。
【００９１】
図１３においては、上記ＩＤ割り当て方式に関し、５つのチェックボックス２２０Ａ，２２０Ｂ，２２０Ｃ，２２０Ｄ，２２０Ｅが設けられている。
【００９２】
チェックボックス２２０Ａは、上記した手動入力方式を行う場合に選択されるものであり、このチェックボックス２２０Ａを選択しＯＫボタン２２１を操作すると、タグＩＤのうち最初の固定領域（この例では４ビット分）は０とするとともにこれに続く所定領域（この例では６０ビット分）は前述したように書き込みたいタグＩＤを操作入力して任意に設定可能となっており、このようにして設定されたタグＩＤを含む情報書き込みを行うことができる（図９のステップＳＳ５４０、ステップＳＳ５１５参照）。
【００９３】
チェックボックス２２０Ｂ，２２０Ｃ，２２０Ｄは上記した自動採番方式を行う場合に選択されるものである。
【００９４】
チェックボックス２２０Ｂは、自動採番を基本としつつも一部手動入力可能な部分を残しておく場合（自動設定(1)）に選択されるものであり、このチェックボックス２２０Ｂを選択しＯＫボタン２２１を操作すると、タグＩＤのうち最初の固定領域（この例では４ビット分）は０とし、これに続く所定領域（この例では３２ビット分）は上記同様任意に設定可能で、さらに続く所定領域（自動採番領域）について、前述したようにして記憶装置２００で検索され制御回路３０より入力されたデータベース２０１のタグＩＤ用の空き番号（図９のステップＳＳ５４６参照）が所定の態様（予め定められた順序、あるいはアトランダムも含む）で自動的に割り振られて付与され、このようにして手動及び自動設定されたタグＩＤが最終的なタグＩＤとして決定されて（図９のステップＳＳ５４７参照）これを含む情報書き込みを行うことができる（図９のステップＳＳ５１５参照）。
【００９５】
チェックボックス２２０Ｃは、無線タグ情報管理装置２のシリアルナンバーを用いて自動採番を行う場合（自動設定(2)）に選択されるものであり、このチェックボックス２２０Ｃを選択しＯＫボタン２２１を操作すると、タグＩＤのうち最初の固定領域（この例では２８ビット分）について、制御回路３０を介し入手された無線タグ情報管理装置２の装置識別情報としての装置固有番号（この例ではシリアル番号、図９のステップＳＳ５４３参照）を含ませる（データベースに関連づけられるデータベースコード部分に相当）。また、これに続く所定領域（自動採番領域）については上記同様データベース２０１のタグＩＤ用の空き番号が所定の態様で自動的に割り振られて付与され（無線タグ回路素子の対象物に関連づけられる対象物コード部分に相当）、このようにして自動設定されたタグＩＤが信号処理回路２２及び高周波回路２１にて最終的なタグ識別情報として生成され、これを含む情報書き込みを行うことができる。
【００９６】
チェックボックス２２０Ｄは、無線タグ情報管理装置２の物理アドレス（この例ではＭＡＣアドレス）を用いて自動採番を行う場合（自動設定(3)）に選択されるものであり、このチェックボックス２２０Ｄを選択しＯＫボタン２２１を操作すると、タグＩＤのうち最初の固定領域（この例では５２ビット分）について、制御回路３０を介し入手された無線タグ情報管理装置２の装置識別情報としてのＭＡＣアドレス（図９のステップＳＳ５４３参照）を含ませる（データベースに関連づけられるデータベースコード部分に相当）。また、これに続く所定領域（自動採番領域）については上記同様データベース２０１のタグＩＤ用の空き番号が所定の態様で自動的に割り振られて付与され（無線タグ回路素子の対象物に関連づけられる対象物コード部分に相当）、このようにして自動設定されたタグＩＤが信号処理回路２２及び高周波回路２１にて最終的なタグ識別情報として生成され、これを含む情報書き込みを行うことができる。
【００９７】
チェックボックス２２０Ｅは、無線タグ情報管理装置２の論理アドレス（この例ではＩＰアドレス、以下同様）を用いて自動採番を行う場合（自動設定(4)）に選択されるものであり、このチェックボックス２２０Ｅを選択しＯＫボタン２２１を操作すると、タグＩＤのうち最初の固定領域（この例では３６ビット分）について、制御回路３０を介し入手された無線タグ情報管理装置２の装置識別情報としてのＩＰアドレス（図９のステップＳＳ５４３参照）を含ませる（データベースに関連づけられるデータベースコード部分に相当）。また、これに続く所定領域（自動採番領域）については上記同様データベース２０１のタグＩＤ用の空き番号が所定の態様で自動的に割り振られて付与され（無線タグ回路素子の対象物に関連づけられる対象物コード部分に相当）、このようにして自動設定されたタグＩＤが信号処理回路２２及び高周波回路２１にて最終的なタグ識別情報として生成され、これを含む情報書き込みを行うことができる。
【００９８】
なお、この例では、上記のような無線タグ回路素子Ｔoへの情報書き込みではなく情報読み取りを行う場合（後述の図２３及び図１９を用いた変形例参照）に対応したチェックボックス２２０Ｆが併せて表示される例を示している。このチェックボックス２２０Ｆを選択しＯＫボタン２２１を操作することにより、上記図９のフローでなく後述の図２３に示すフローが実行される。
【００９９】
なお、さらにタグ無しの通常の印字ラベルの作成及びこれに伴うデータ（印字データのみ）編集も選択可能となるようなチェックボックスを設けてもよい。
【０１００】
一方、図９のステップＳＳ５１４の印字指令信号、ステップＳＳ５１５のデータ書き込み指令信号、ステップＳＳ５１６のデータ登録指令信号に応じて、無線タグ情報管理装置２では、アンテナ１４から無線タグ回路素子ＴoのＩＣ回路部１５１への情報（タグＩＤ）書き込み、印字ヘッド１０による印字、さらにデータベース２０１へのデータ（上記タグＩＤを含む図１１や図１２に例示したデータレコード）の登録を行う。図１４は、これらを行う際に、制御回路３０によって実行される制御手順を表すフローチャートである。
【０１０１】
この図１４において、端末５における所定の操作により上記印字指令信号、データ書き込み指令信号、及びデータ登録指令信号を含む前述の操作信号が通信回線３及び入出力インターフェイス３１を介し制御回路３０に入力（識別）されると（上記図９のステップＳＳ５１４、ステップＳＳ５１５、ステップＳＳ５１６参照）このフローが開始される。そして、まずステップＳ１０において、上記端末５からのデータ書き込み指令信号に基づく、アンテナ１４より無線タグ回路素子ＴoのＩＣ回路部１５１へ書き込むべき情報（図９のステップＳＳ５４７で自動設定された、又はステップＳＳ５４０で手動設定されたタグＩＤを含む）と、印字ヘッド１０により無線タグラベルＴへ印字すべき印字情報（例えば対応する無線タグ回路素子ＴoのタグＩＤそのもの又は無線タグラベルＴの用途に応じた情報等）とが取得される。
【０１０２】
その後、ステップＳ１５に移り、無線タグ回路素子Ｔoからの応答がない場合にリトライ（再試行）を行う回数をカウントする変数Ｎ、及び通信良好か不良かを表すフラグＦを０に初期化する。
【０１０３】
そして、ステップＳ２０において、カートリッジ駆動回路２４に制御信号を出力し、カートリッジ用モータ２３の駆動力によってリボン巻取りローラ１０６及び圧着ローラ１０７を回転駆動させる。これにより、第１ロール１０２から基材テープ１０１が繰り出され圧着ローラ１０７へ供給されるとともに、第２ロール１０４からはカバーフィルム１０３が繰り出される。さらに送出ローラ駆動回路２９を介して送出ローラ用モータ２８に制御信号を出力し、送出ローラ１７を回転駆動させる。以上の結果、前述したように基材テープ１０１と（後述のように印刷が終了した）カバーフィルム１０３とが上記圧着ローラ１０７及びサブローラ１０９により接着されて一体化され、印字済タグラベル用テープ１１０としてカートリッジ体１００外方向へと搬送されていくように、各テープ１０１，１０３，１１０が駆動開始される。
【０１０４】
次に、ステップＳ３０において、上記した書き込みたい所定の無線タグ情報（タグＩＤ等）を無線タグ回路素子Ｔoに送信し書き込む書き込み処理を行う（詳細は後述の図１５を参照）。
【０１０５】
そして、ステップＳ３５に移り、印刷駆動回路２５に制御信号を出力し、印字ヘッド１０を通電して、カバーフィルム１０３のうち所定の領域（例えば基材テープ１０１に所定ピッチで等間隔で配置された無線タグ回路素子Ｔoの裏面に貼り合わせることとなる領域）に、ステップＳ１０で取得した文字、記号、バーコード等の印字Ｒを印刷させる。ステップＳ３５が終了すると、ステップＳ３９に移る。
【０１０６】
ステップＳ３９では、フラグＦ＝０であるかどうかが判定される。書き込み処理が正常に完了していればＦ＝０のまま（後述の図１５に示すフローのステップＳ３８参照）であるので、この判定が満たされ、ステップＳ５０に移る。
【０１０７】
ステップＳ５０では、カバーフィルム１０３のうちこの時点で処理対象としている無線タグ回路素子Ｔoに対応する領域への印字がすべて完了しているかどうかを確認した後、ステップＳ６０へ移る。
【０１０８】
なお、何らかの理由で書き込み処理が正常に完了していない場合はＦ＝１とされている（後述の図１５に示すフローのステップＳ３８参照）ので前述のステップＳ３９の判定が満たされず、ステップＳ４５に移り、印刷駆動回路２５に制御信号を出力して印字ヘッド１０を通電を中止し印字を停止させる。このように印字中途停止によって当該無線タグ回路素子Ｔoが正常品でないことを明らかに表示するようにした後、上記ステップＳ６０へ移る。
【０１０９】
ステップＳ６０では、印字済タグラベル用テープ１１０がカッタ１５で切断されるべき所定位置にまで搬送されたかどうかを判定する。具体的には、例えば、対象とする無線タグ回路素子Ｔo及びこれに対応するカバーフィルム１０３の印字領域のすべてがカッタ１５を所定の長さ(余白量)分だけ越えたかどうかを、基材テープ１０１（詳細には例えば剥離紙１０１ｄ、あるいはカバーフィルム１０３等でもよい）に対し各無線タグ回路素子Ｔoに対応して設けた適宜の識別用マークをカートリッジ１００外（例えばカッタ１５のさらに搬送方向下流側）に設けた公知のテープセンサで検出することにより行えば足りる。またこのような検出を行わず、印字Ｒの印字文字長に所定の余白領域分を加えた長さが無線タグ回路素子Ｔoの全長を超えているかどうかを印字情報に基づき判定する（超えていれば、少なくともカバーフィルム１０３の印字が完了した段階でその余白領域外をカッタ１５で切断するようにすれば、貼り合わせられる無線タグ回路素子Ｔoを切断することは回避できるため）ことで代用してもよい。
【０１１０】
この判定が満たされたら、ステップＳ７０に移る。ステップＳ７０では、カートリッジ駆動回路２４及び送出ローラ駆動回路２９に制御信号を出力し、カートリッジ用モータ２３及び送出ローラ用モータ２８の駆動を停止して、リボン巻取りローラ１０６、圧着ローラ１０７、送出ローラ１７の回転を停止する。これにより、第１ロール１０２からの基材テープ１０１の繰り出し、第２ロール１０４からのカバーフィルム１０３の繰り出し、及び送出ローラ１７による印字済タグラベル用テープ１１０の搬送が停止する。
【０１１１】
その後、ステップＳ８０でソレノイド駆動回路２７に制御信号を出力してソレノイド２６を駆動し、カッタ１５によって印字済タグラベル用テープ１１０の切断を行う。前述したように、この時点で、例えば処理対象の無線タグ回路素子Ｔo及びこれに対応するカバーフィルム１０３の印字領域のすべてがカッタ１５を十分に越えており、このカッタ１５の切断によって、無線タグ回路素子Ｔoの無線タグ情報が読み取られかつこれに対応する所定の印字が行われたラベル状の無線タグラベルＴが生成される。
【０１１２】
その後、ステップＳ９０に移り、送出ローラ用駆動回路２９に制御信号を出力し、送出ローラ用モータ２８の駆動を再開して、送出ローラ１７を回転させる。これにより、送出ローラ１７による搬送が再開されて上記ステップＳ１５０でラベル状に生成された無線タグラベルＴが搬出口１６へ向かって搬送され、搬出口１６から装置２外へと排出される。
【０１１３】
そして、ステップＳ１００において、カートリッジ１００内の通信範囲（前述の領域Ｘ）に残存する無線タグラベル回路素子Ｔoに備えられたＩＣ回路部１５１の全無線タグ情報を消去（初期化）する。詳細には、無線タグ回路素子Ｔoのメモリ部１５７に記憶された情報を初期化する「Erase」コマンドを信号処理回路２２に出力する。これに基づき信号処理回路２２で「Erase」信号が生成されて高周波回路２１の送信部３２及びアンテナ１４を介し通信範囲（上記領域Ｘ）内の全無線タグ回路素子Ｔoに送信され、そのメモリ部１５７を初期化する。
【０１１４】
その後、ステップＳ１１０に移り、フラグＦ＝０であるかどうかが判定される。書き込み処理が正常に完了していればＦ＝０のまま（後述の図１５に示すフローのステップＳ３８参照）であって判定が満たされ（上記図９のステップＳ５１７に対応）、またこの場合はステップＳ３９における判定が満たされてステップＳ５０において印字が正常に完了している（上記図９のステップＳ５１８に対応）ことから、ステップＳ１２０に移り、上記ステップＳ３０で無線タグ回路素子Ｔoへ書き込んだ無線タグ情報（タグＩＤ等）と、これに対応して印字ヘッド１０により印字された印字情報との組み合わせを、他の関連情報（この例では無線タグラベルＴの対象物情報も含む）とともに、記憶装置２００のデータベース２０１に書き込み登録する（上記図９のステップＳＳ５１９に対応；なお既に登録されている場合は上書き更新する）。この記憶データは必要に応じて端末５（又は汎用コンピュータ６）より参照可能にデータベース２０１内に格納保持される。
【０１１５】
なお、何らかの理由で書き込み処理が正常に完了していない場合はＦ＝１とされている（後述の図１５に示すフローのステップＳ３８参照）ので前述のステップＳ１１０の判定が満たされず、ステップＳ１３０に移り、エラー表示信号を入出力インターフェイス３１及び通信回線３を介し上記端末５（又は汎用コンピュータ６）へ出力し（上記図９のステップＳＳ５２０，ステップＳＳ５２１に対応）、対応する書き込み失敗（エラー）表示を行わせ（ステップＳＳ５２２対応）、このフローを終了する。
【０１１６】
図１５は、上記ステップＳ３０の詳細手順を表すフローチャートである。
【０１１７】
図１５において、図１４における前述のステップＳ２０が終了すると、まずステップＳ３１に移り、所望のデータをメモリ部１５７に書き込む「Program」コマンドを信号処理回路２２に出力する。これに基づき信号処理回路２２で本来書き込みたいタグＩＤを含む無線タグ情報としての「Program」信号が生成されて高周波回路２１の送信部３２及びアンテナ１４を介して通信可能エリア内（前述の領域Ｘ内）にあるすべての無線タグ回路素子Ｔoに送信され、そのメモリ部１５７に情報が書き込まれる。
【０１１８】
その後、ステップＳ３２において、メモリ部１５７の内容を確認する「Verify」コマンドを信号処理回路２２に出力する。これに基づき信号処理回路２２で「Verify」信号が生成されて高周波回路２１の送信部３２及びアンテナ１４を介して上記通信可能エリア内の全無線タグ回路素子Ｔoに送信され、返信を促す。
【０１１９】
そして、ステップＳ３３に移り、上記「Verify」信号に対応して上記通信可能エリア内の全無線タグ回路素子Ｔoから送信（返信）されたリプライ（応答）信号をアンテナ１４を介して受信し、高周波回路２１の受信部３３及び信号処理回路２２を介し取り込む。
【０１２０】
次に、ステップＳ３４において、上記ステップＳ３３の受信結果に基づき、上記通信エリア内の全無線タグ回路素子Ｔoのうち、少なくとも１つから何らかの有効なリプライ信号（メモリ部１５７に正常に記憶されたことを表す信号）が受信されたかどうかを判定する。
【０１２１】
判定が満たされたら、上記領域Ｘ内の少なくとも１つの無線タグ回路素子Ｔoには正しく書き込まれており、領域Ｘ内の全無線タグ回路素子Ｔoへの書き込み失敗は回避されていることから、このルーチンを終了する。判定が満たされない場合はステップＳ３５に移ってＮに１を加え、さらにステップＳ３６においてＮ＝５かどうかが判定される。Ｎ≦４の場合は判定が満たされずステップＳ３１に戻り同様の手順を繰り返す。Ｎ＝５の場合は前述したステップＳ３８でフラグＦ＝１としてこのルーチンを終了する。このようにして情報書き込みが不調でも５回までは再試行が行われる。このように、アンテナ１４から領域Ｘ内における無線タグ回路素子Ｔoへの情報書き込みが万が一不調であった場合でも、所定回数Ｎ回（上記の例ではＮ＝５）までは再試行を行うので、書き込み信頼性の確保上、万全を期すことができる。また、上記において、前述のリトライＮ回の間、書き込み送信パワーを順次増大させるようにしてもよい。また、Ｎ回リトライに失敗して図１５のステップＳ３８でフラグＦ＝１にした後、図１４のステップＳ４５で印字を停止するのではなく、その書き込み（リトライ）失敗の旨の何らかの（警告）印字等を行うようにしてもよい。
【０１２２】
図１６は、上記スキャナ５００の機能的構成の詳細を表す機能ブロック図である。図１６において、スキャナ５００は、制御部５２０と、アンテナ（アンテナ手段）５３０とを有している。
【０１２３】
制御部５２０は、ＣＰＵ（中央演算装置）５２１と、上記ネットワークＮＷを介した信号授受の制御を行うネットワーク通信制御部５２２と、例えばＲＡＭやＲＯＭ等からなるメモリ５２３と、アンテナ５３０を介し上記無線タグ回路素子Ｔoに備えられたアンテナ１５２と通信制御を行うＲＦ通信制御部５４０とを備えている。
【０１２４】
図１７は、上記ＲＦ通信制御部５４０及びアンテナ５３０の詳細構成を表す機能ブロック図である。
【０１２５】
図１７において、アンテナ５３０は、１つの送信アンテナ（アンテナ素子）６１０と、複数（この例では３つ）の受信アンテナ（アンテナ素子）６１１Ａ，６１１Ｂ，６１１Ｃとから構成されている。
【０１２６】
ＲＦ通信制御部５４０は、上記送信アンテナ６１０及び受信アンテナ６１１Ａ，６１１Ｂ，６１１Ｃを介し上記無線タグ回路素子ＴoのＩＣ回路部１５１の情報(無線タグ情報)へアクセスする（この例では読み取りを行う）ための送信部６１２及び受信部６１３（＝高周波回路）と、受信アンテナ６１１Ａ，６１１Ｂ，６１１Ｃにそれぞれ係わる位相制御ユニット６０３Ａ，６０３Ｂ，６０３Ｃと、これら位相制御ユニット６０３Ａ〜６０３Ｃからの出力を加算する加算器６０５とを有し、無線タグ回路素子ＴoのＩＣ回路部１５１から読み取られた信号を処理して情報を読み出すとともに無線タグ回路素子ＴoのＩＣ回路部１５１へアクセスするためのアクセス情報を生成する機能を含む上記ＣＰＵ５２１と接続されている。
【０１２７】
位相制御ユニット６０３Ａ，６０３Ｂ，６０３Ｃは、ＣＰＵ５２１からの位相制御信号を入力しこれに応じて受信アンテナ６１１Ａ，６１１Ｂ，６１１Ｃにおける受信電波信号の位相をそれぞれ可変に設定する移相器６０６Ａ，６０６Ｂ，６０６Ｃと、ＣＰＵ５２１からの信号を入力しこれに応じて移相器６０６Ａ，６０６Ｂ，６０６Ｃから入力した信号を可変に増幅し上記加算器６０５に出力する可変ゲインアンプ(増幅率可変アンプ)６０８Ａ，６０８Ｂ，６０８Ｃとを備えている。
【０１２８】
送信部６１２は、送信アンテナ６１０を介し無線タグ回路素子Ｔoに対して信号を送信するものであり、無線タグ回路素子ＴoのＩＣ回路部１５１の無線タグ情報にアクセスする(この例では読み取りを行う)ための搬送波を発生させる水晶発振回路６１５と、上記ＣＰＵ５２１から供給される信号に基づいて上記搬送波発生部により発生させられた搬送波を変調（この例ではＣＰＵ５２１からの「ＴＸ＿ＡＳＫ」信号に基づく振幅変調）する送信乗算回路６１６（但し「ＴＸ＿ＡＳＫ信号」の場合は増幅率可変アンプ等を用いてもよい）と、その送信乗算回路６１６により変調された変調波を増幅（この例ではＣＰＵ５２１からの「ＴＸ＿ＰＷＲ」信号によって増幅率を決定される増幅）する送信アンプ６１７とを備えている。そして、上記搬送波発生部により発生される搬送波は、好適には周波数３００ＭＨｚ以上とされ、望ましくは９００ＭＨｚ近傍あるいは２．４５ＧＨｚ近傍とされ、上記送信アンプ６１７の出力は、送信アンテナ６１０に伝達されて無線タグ回路素子ＴoのＩＣ回路部１５１に供給される。
【０１２９】
受信部６１３は、受信アンテナ６１１Ａ，６１１Ｂ，６１１Ｃで受信され上記位相制御ユニット６０３Ａ，６０３Ｂ，６０３Ｃを経て加算器６０５で合算された無線タグ回路素子Ｔoからの反射波と上記搬送波発生部により発生させられた搬送波とを掛け合わせる受信第１乗算回路６１８と、その受信第１乗算回路６１８の出力から必要な帯域の信号のみを取り出すための第１バンドパスフィルタ６１９と、この第１バンドパスフィルタ６１９の出力を増幅する受信第１アンプ６２１と、この受信第１アンプ６２１の出力をさらに増幅してデジタル信号に変換する第１リミッタ６２０と、上記受信アンテナ６１１Ａ〜６１１Ｃで受信され上記位相制御ユニット６０３Ａ〜６０３Ｃを経て加算器６０５で合算された無線タグ回路素子Ｔoからの反射波と上記搬送波発生部により発生された後に移相器６２７で位相を９０°遅らせた搬送波とを掛け合わせる受信第２乗算回路６２２と、その受信第２乗算回路６２２の出力から必要な帯域の信号のみを取り出すための第２バンドパスフィルタ６２３と、この第２バンドパスフィルタ６２３の出力を増幅する受信第２アンプ６２５と、この受信第２アンプ６２５の出力をさらに増幅してデジタル信号に変換する第２リミッタ６２４とを備えている。そして、上記第１リミッタ６２０から出力される信号「ＲＸＳ−Ｉ」及び第２リミッタ６２４から出力される信号「ＲＸＳ−Ｑ」は、上記ＣＰＵ５２１に入力されて処理される。
【０１３０】
また、受信第１アンプ６２１及び受信第２アンプ６２５の出力は、ＲＳＳＩ（Received  Signal  Strength  Indicator)回路６２６にも入力され、それらの信号の強度を示す信号「ＲＳＳＩ」がＣＰＵ５２１に入力される。このようにして、本実施形態のスキャナ５００のＲＦ通信制御部５４０では、Ｉ−Ｑ直交復調によって無線タグ回路素子Ｔoからの反射波の復調が行われる。
【０１３１】
ＣＰＵ５２１は、いわゆるマイクロコンピュータであり、詳細な図示を省略するが、中央演算処理装置であるＣＰＵ、ＲＯＭ、及びＲＡＭ等から構成され、ＲＡＭの一時記憶機能を利用しつつＲＯＭに予め記憶されたプログラムに従って信号処理を行うようになっている。このＣＰＵ５２１は、上述した高周波回路受信部６１３からの受信信号等を入力した後所定の演算処理を行い、上述した高周波回路送信部６１２への増幅制御信号及び変調制御信号、位相制御ユニット６０３Ａ〜６０３Ｈへの位相制御信号等を出力する。またＣＰＵ５２１は上記通信回線３（又はそれとは別の入出力インターフェイス）を介し、上記ルートサーバ４、情報サーバ７、端末５、汎用コンピュータ６等との間で情報のやりとりが可能なように構成されている。
【０１３２】
図１８は、上記スキャナ５００の動作を表す概念的なタイムチャートである。
【０１３３】
この図１８において、まずスキャン対象である無線タグ回路素子Ｔoの検出（ＩＣ回路部１５１の無線タグ情報の読み取り、後述の図１９参照）を行い、当該無線タグ回路素子Ｔoのタグ識別情報（タグＩＤ）を取得する（ステップＳＳ５５０）。
【０１３４】
その後、上記タグＩＤに対応する（あるいは、必要に応じてこのタグＩＤに含まれる前述のデータベースコード部分を抽出し、そのデータベースコード部分に対応する）する情報（＝ひも付け情報、あるいはこれに加えてさらに対象物情報）を格納したデータベース２０１へアクセスして当該情報を取得する。このときの動作は上記取得したタグＩＤの設定（不番）が前述したどの方式で行われているかによって分かれる。
【０１３５】
タグＩＤが、手動設定されたものであった場合（前述の図１３のチェックボックス２２０Ａ参照）、一部手動入力可能な自動採番されたものであった場合（自動設定(1)、図１３のチェックボックス２２０Ｂ参照）、及び情報読み取りを行う場合（図１３のチェックボックス２２０Ｆ参照）には、通信回線３を介しアクセス可能なすべての無線タグ情報管理装置２のデータベース２０１に対し、タグＩＤが一致するまで総当たりで検索を行うこととなる（ステップＳＳ５５１）。すなわち具体的には、ある無線タグ情報管理装置２の制御回路３０に対し、データベース検索指令信号を出力し（ステップＳＳ５５２）、当該無線タグ情報管理装置２の記憶装置２００のデータベース２０１を、上記取得したタグＩＤを検索キーとして検索させる（ステップＳＳ５５３）。この検索結果データは、記憶装置２００より制御回路３０を介してスキャナ５００へ送信される（ステップＳＳ５５４）。上記検索キーのタグＩＤと一致した（あるいは含む、以下同様）データ（ひも付け情報あるいは対象物情報）があれば（ステップＳＳ５５５）、当該ひも付け情報あるいは対象物情報がスキャナ５００にて取得され、例えばスキャナ５００に備えられた適宜の表示手段に当該情報がサーチ結果として表示される（ステップＳＳ５５６）。検索キーのタグＩＤと一致したデータがなかった場合には、別の無線タグ情報管理装置２へと問い合わせ対象を切り替え（ステップＳＳ５５７）、当該無線タグ情報管理装置２の制御回路３０に対し上記同様のデータベース検索指令信号を出力し（ステップＳＳ５５２）同じタグＩＤを検索キーとして検索させ（ステップＳＳ５５３）、検索結果を取得し（ステップＳＳ５５４）、これらの手順を上記検索キーのタグＩＤと一致したデータが見つかるまで繰り返す。
【０１３６】
タグＩＤが、無線タグ情報管理装置２の装置固有番号を用いて自動採番されたものであった場合（前述の図１３のチェックボックス２２０Ｃ参照）には、通信回線３を介しアクセス可能なすべての無線タグ情報管理装置２の制御回路３０に対し、装置固有番号（この例では装置シリアル番号）が一致するまで総当たりで検索を行うこととなる（ステップＳＳ５５８）。すなわち具体的には、ある無線タグ情報管理装置２の制御回路３０に対し、装置シリアル番号問い合わせ信号を出力する（ステップＳＳ５５９）。この問い合わせに対する返答（通知）は、制御回路３０よりスキャナ５００へ送信され（ステップＳＳ５６０）、シリアル番号が一致した（あるいは含む、以下同様）場合には、上記ステップＳＳ５５２と同様、上記シリアル番号が一致した無線タグ情報管理装置２の制御回路３０に対し、データベース検索指令信号を出力し（ステップＳＳ５６２）、当該無線タグ情報管理装置２の記憶装置２００のデータベース２０１を上記取得したタグＩＤを検索キーとして検索させる（ステップＳＳ５６３）。これにより、上記タグＩＤに対応したひも付け情報（あるいは対象物情報）がスキャナ５００にて取得され、前述と同様、スキャナ５００に備えられた適宜の表示手段に当該情報がサーチ結果として表示される（ステップＳＳ５５６）。
【０１３７】
一方、装置シリアル番号問い合わせ信号に対する返答（通知）においてシリアル番号が一致していなかった場合には、別の無線タグ情報管理装置２へと問い合わせ対象を切り替え（ステップＳＳ５６４）、当該無線タグ情報管理装置２の制御回路３０に対し上記同様の装置シリアル番号問い合わせ信号を出力し（ステップＳＳ５５９）、返答（通知）を受信し（ステップＳＳ５６０）、これらの手順を上記シリアル番号が一致する無線タグ情報管理装置２が見つかるまで繰り返す。
【０１３８】
タグＩＤが、無線タグ情報管理装置２の物理アドレス（ＭＡＣアドレスやイーサネット等）あるいは論理アドレス（ＩＰアドレス等）を用いて自動採番されたものであった場合（前述の図１３のチェックボックス２２０Ｄ，２２０Ｅ参照）には、そのアドレスによってアクセスすべき無線タグ情報管理装置２が一意的に定まる。したがって、直接その特定した無線タグ情報管理装置２の制御回路３０に対し、前述のデータベース検索指令信号を出力し（ステップＳＳ５６２）、当該無線タグ情報管理装置２の記憶装置２００のデータベース２０１を上記取得したタグＩＤを検索キーとして検索させる（ステップＳＳ５６３）。これにより、上記タグＩＤに対応したひも付け情報（あるいは対象物情報）がスキャナ５００にて取得され、スキャナ５００の表示手段に当該情報がサーチ結果として表示される（ステップＳＳ５５６）。
【０１３９】
図１９は、上記したスキャナ５００によるタグ検出動作（図１８のステップＳＳ５５０参照）時のＣＰＵ５２１による処理手順を表すフローチャートである。
【０１４０】
図１９において、ステップＳ６０１において、無線タグ回路素子Ｔoに記憶された情報を読み出す無線タグ情報としての「Scroll
All ID」信号を生成してＲＦ通信制御部５４０の送信部６１２及び送信アンテナ６１０を介して読み取り対象の無線タグ回路素子Ｔoに送信し、返信を促す。
【０１４１】
次に、ステップＳ６０２において、上記「Scroll All ID」信号に対応して読み取り対象の無線タグ回路素子Ｔoから送信されたリプライ信号（タグＩＤ等を含む無線タグ情報）を受信アンテナ６１１Ａ〜６１１Ｃを介して受信し、ＲＦ通信制御部５４０の受信部６１３を介し取り込む。
【０１４２】
次に、ステップＳ６０３において、上記ステップＳ６０２で受信したリプライ信号に誤りがないか否かを公知の誤り検出符号（ＣＲＣ符号；Cyclic Redundancy Check等）を用いて判定する。
【０１４３】
判定が満たされない場合はステップＳ６０４に移ってＮに１を加え、さらにステップＳ６０５においてＮ＝５かどうかが判定される。Ｎ≦４の場合は判定が満たされずステップＳ６０１に戻り同様の手順を繰り返す。Ｎ＝５の場合はステップＳ６０７に移り、フラグＦ＝１としてこのフローを終了する。このように、情報読み取りが不調でも５回までは再試行が行われることにより、読み取り確保上、万全を期すことができる。
【０１４４】
ステップＳ６０３の判定が満たされた場合、読み取り対象とする無線タグ回路素子Ｔoからの無線タグ情報の読み取りが完了し、このフローを終了する。
【０１４５】
以上の手順により、読み取り対象の無線タグ回路素子Ｔoに対し、ＩＣ回路部１５１の無線タグ情報（タグＩＤ情報等）にアクセスし、これを読み出すことができる。
【０１４６】
以上において、信号処理回路２２及び高周波回路２１の送信部３２が、各請求項記載の、無線タグ回路素子書き込み用のタグ識別情報を生成するタグ識別情報生成手段を構成し、高周波回路２１の送信部３２はまた、タグ識別情報生成手段で生成したタグ識別情報を、アンテナ手段を介してＩＣ回路部に書き込む書き込み手段をも構成する。
【０１４７】
また、制御回路３０の実行する図１４のフローのステップＳ１２０が、第１データベースにアクセスを行う第１データアクセス手段を構成する。
【０１４８】
さらに図９のフローのステップＳＳ５４４において自動採番指令信号を生成する制御回路３０が、第１データベースに対し対象物コード部分に割り当て可能なコード内容を問い合わせる問い合わせ信号を生成する問い合わせ信号生成手段に相当する。
【０１４９】
また図１８のフローにおけるステップＳＳ５５０のタグ検出後、ステップＳＳ５５８に関連してアクセス可能な全ての無線タグ情報管理装置２にシリアル番号が一致するまで総当たりして見つけ出すこと、及びステップＳＳ５６５において物理アドレス又は論理アドレスを用いてアクセスすべき無線タグ情報管理装置２を特定することが、アンテナ手段により読み取られた無線タグ回路素子のタグ識別情報に含まれるデータベースコード部分を抽出し、その抽出したデータベースコード部分に対応するデータベースを決定する決定手段に相当している。
【０１５０】
以上説明した本実施形態の無線タグ情報管理装置２においては、無線タグ回路素子Ｔoに情報書き込みを行う際には、信号処理回路２２及び高周波回路送信部３２がタグＩＤを生成し、このタグＩＤがアンテナ１４を介し書き込み対象の無線タグ回路素子Ｔoに送信されてそのＩＣ回路部１５１に書き込まれる。このとき、上記生成したタグＩＤには、データベースコード部分（上記の例では装置固有番号、ＭＡＣアドレス、ＩＰアドレス等）と対象物コード部分（上記の例では自動的に割り振られて付与されるデータベースの空き番号）とが含まれている。これにより、情報書き込み後の無線タグ回路素子Ｔoに対し後に情報読み取りを行った際、読みとったタグＩＤに含まれる上記データベースコード部分を取得することで、当該無線タグ回路素子Ｔoに対応した情報がどのデータベース２０１に格納保持されているかを容易に判別することができる。この結果、当該データベース２０１に容易かつ素早くアクセスし、目的とする無線タグ回路素子Ｔoに対応した情報（ひも付け情報又は対象物情報）を確実に取得することができる。
【０１５１】
また、本実施形態では特に、以下のような効果もある。すなわち、無線タグ回路素子と通信を行い無線タグラベルを作成する装置側にデータベースを備えていない通常のシステム構成の場合、例えば複数の上記装置とネットワーク接続された１つの大容量の（装置外）データベースに相関情報を記憶させる。そして、以降、上記装置側で作成した無線タグラベルの情報を読み取り装置で読みとった際、各読み取り装置より（装置外）データベースにアクセスを行い、上記相関情報を得る。ここで、本実施形態のように、上記のような装置外の共通の大容量データベースを備えず、各無線タグ情報管理装置２それぞれにおいて記憶装置２００内にデータベース２０１が構築されている場合、そのままでは無線タグラベル回路素子Ｔoの情報を読み取り装置（スキャナ）で読みとった際にどの無線タグ情報管理装置２のデータベース２０１にアクセスを行えばよいかが不明となる。
【０１５２】
そこで、無線タグ情報管理装置２の信号処理回路２２及び高周波回路送信部３１でタグＩＤを生成する際、当該データベース２０１を備えた無線タグ情報管理装置２の前述した装置識別情報（物理アドレスや論理アドレス、固有番号等）の少なくとも一部を含んだタグＩＤを生成する。これにより、その無線タグラベルＴの情報を読みとった際、どの無線タグ情報管理装置２のデータベース２０１にアクセスを行えばよいかの情報を容易に取得できるので、データベース２０１より対応する相関情報や対象物情報を確実に得ることができる。
【０１５３】
また本実施形態のスキャナ５００においては、アンテナ６１１Ａ〜６１１Ｃを介し読みとったタグＩＤに含まれるデータベースコード部分を抽出して取得し、その取得したデータベースコード部分に基づき、対応するデータベースを決定する（物理アドレスや論理アドレスにて直接特定するか、若しくは装置固有番号を用いて装置を特定する）。これにより、当該無線タグ回路素子Ｔoに対応した情報がどの（無線タグ情報管理装置２の）データベース２０１に格納保持されているかが特定される。この結果、当該データベース２０１に容易かつ素早くアクセスして、目的とする無線タグ回路素子Ｔoに対応した情報（ひも付け情報又は対象物情報）を確実に取得することができる。
【０１５４】
なお、本発明は、上記実施形態以外にも、その趣旨と技術思想の範囲を逸脱しない範囲でさらに種々の変形が可能である。以下、そのような変形例を順次説明する。
【０１５５】
（１）装置内データベースを省略し、装置外データベースを用いる場合
上記実施形態では、書き込まれた（又は後述の変形例では読み取られた、以下同様）無線タグラベルＴのタグＩＤとその無線タグラベルＴの対象物情報等との相関情報を（あるいは併せて対象物情報をも）タグラベル作成装置２に設けた記憶装置２００のデータベース２０１に記憶させたが、これに限られず、装置２外の情報サーバ７やルートサーバ４にその機能を代用させ、それらに必要に応じて参照可能に記憶させてもよい。
【０１５６】
なおこの場合、上記情報サーバ７やルートサーバ４は、各請求項記載の第２データベースを構成し、また制御回路３０の実行する前述の図１４のフローのステップＳ１２０は、その第２データベースにアクセスを行う第２データアクセス手段を構成する。
【０１５７】
本変形例においても、上記実施形態同様、カートリッジ１００内のアクセス対象の無線タグ回路素子Ｔoに対応した情報を格納保持したデータベース２０１を容易に特定して容易かつ素早くアクセスし、目的とする無線タグ回路素子Ｔoに対応した情報を確実に取得できるという、本発明本来の効果を得ることができる。
【０１５８】
（２）局所的なネットワークを用いる場合
以上は、図１に最初に示したように、無線タグ情報管理装置２及び端末５等が通信回線３を介して（広域の）ネットワークに組み込まれた場合を例にとって説明したが、これに限られない。すなわち、上述したようにデータベース２０１を備えた記憶装置２００が無線タグ情報管理装置２側に備えられていることを利用して、端末５と無線タグ情報管理装置２のみが局所ネットワークにて接続された構成（広域ネットワークには接続されない閉じたシステム構成）も可能となる。）。図２０はそのような場合の一例を表しており、無線タグ情報管理装置２と端末５が（その他の外部回線とは接続しない）局所的なネットワーク（いわゆるＬＡＮ等）によって接続され、これらによって無線タグ情報管理システム１′が形成されている。
【０１５９】
この場合、端末５及び無線タグ情報管理装置２内における各種信号の流れは基本的に上記実施形態と同様であるので説明を省略する。
【０１６０】
本変形例によっても、上記実施形態と同様の効果を得ることができる。
【０１６１】
（３）無線タグ情報管理装置単体がすべての機能を備える場合
すなわち、上記実施形態における端末５の機能をすべて無線タグ情報管理装置２側に別途設けた操作手段（キーボード、マウス等）及び表示手段（ディスプレイ等）に備えるようにしてもよい（例えばタッチパネルであれば両方を兼用できる）。図２１はこのときの無線タグ情報管理装置２′の詳細構造を表す概念的構成図を表しており、上記実施形態の図２に相当する図である。この例では上記操作・表示手段（タッチパネル等）２５０を設けている。この場合の操作信号は、上記操作・表示手段で生成されて出力され、同じ無線タグ情報管理装置２′内の制御回路３０へ入力される。
【０１６２】
図２２は、このとき無線タグ情報管理装置２′で実行される際の概念的なタイムチャートを表しており、上記実施形態の図９に対応する図である。図９と同等の手順を同一の符号で表している。なお、図示の場合は、無線タグ情報管理装置２′単体（いわゆるスタンドアローン）においても、上記実施形態の端末５及び無線タグ情報管理装置２と同様の機能を果たす場合を例にとって示しているが、これに限られず、制御回路３０のＣＰＵの演算機能や各種メモリの記憶容量を簡素化・低減化するために一部の機能を簡素化してもよい。例えば、記憶装置２００のデータベース２０１のデータは既に登録済のもののみを使用することを前提とし、データ編集・データ新規入力はできないようにしてもよい。
【０１６３】
本変形例によっても、上記実施形態と同様の効果を得ることができる。
【０１６４】
（４）読み取り専用の無線タグ回路素子を用いる場合
また、以上においては、無線タグ回路素子Ｔoに対し無線タグ情報（タグＩＤ等）を送信しＩＣ回路部１５１に情報書き込みを行う場合を例にとって説明したが、これに限られない。すなわち、予め所定の無線タグ情報（タグＩＤ等）が書き換え不可に記憶保持されている読み取り専用の無線タグ回路素子ＴoからタグＩＤを含む無線タグ情報を読み取りながら、これに対応する印字を行って無線タグラベルＴを作成する場合があり、このような場合にも本発明は適用可能である。
【０１６５】
図２３は、この変形例における無線タグ情報管理装置２の動作を表す概念的なタイムチャートであり、上記実施形態の図９にほぼ相当する図である。図９と同等の手順には同一の符号を付し、適宜説明を省略又は簡略化する。
【０１６６】
図２３においては、図９と同様の無線タグラベルＴの外見イメージをデータベースに格納保持し（ステップＳＳ５１３）タグ作成（発行）開始の旨を操作（指示）入力すると、タグ情報アクセス（＝この例ではデータ読み取り）指令、印字指令、記憶装置アクセス（発行データ登録）指令からなる１つの操作信号が無線タグ情報管理装置２側へ出力される。印字指令信号は図９と同様に制御回路３０を介し印刷駆動回路２５へ入力されて（ステップＳＳ５１４）印字ヘッド１０を駆動してカバーフィルム１０３に対し対応する印字が行われる。データ読み取り指令信号は制御回路３０を介し信号処理回路２２及び高周波回路２１へ入力され（上記ステップＳＳ５１５に対応するステップＳＳ５１５Ａ）情報読み取りがアンテナ１４を介し行われる。発行データ登録指令は制御回路３０へ入力され、上記データ読み取りが成功した旨の報告信号（上記ステップＳＳ５１７に対応するステップＳＳ５１７Ａ）及び上記印字が成功した旨の報告信号（ステップＳＳ５１８）が制御回路３０へ入力されるのを待って、これを確認して制御回路３０から当該読みとったタグＩＤと対象物情報等との相関（ひも付け）情報（あるいはさらに併せて対象物情報も）を記憶装置２００のデータベース２０１へ発行データとして登録する（ステップＳＳ５１９）。以降、ステップＳＳ５２０及びステップＳＳ５２１Ａ、ステップＳＳ５２１Ｂ、ステップＳＳ５２２については図９と同様である。
【０１６７】
なお、この変形例では、前述の図３に示すカートリッジ構造においてロール１０２内に領域Ｘが入り込まないように（ロール１０２内の無線タグ回路素子Ｔoとは通信しないように）適宜のシールド手段等を設けた上で、図１４の手順（＝本変形例では図２３のステップＳＳ５１４の印字指令信号、ステップＳＳ５１５Ａのデータ読み取り指令信号、ステップＳＳ５１６のデータ登録指令信号に応じて無線タグ情報管理装置２が実行する手順）におけるステップＳ１０においては印字情報のみを読み込み、ステップＳ３０で無線タグ情報の読み込み処理を行うようにする（詳細は後述の図２４参照）。その後ステップＳ１２０では印字情報とその読み込んだ無線タグ情報との組み合わせを保存する。
【０１６８】
図２４は、上記無線タグ読み込み処理の詳細手順を表すフローチャートである。
【０１６９】
図２４において、情報読み取り対象とする無線タグ回路素子Ｔoがアンテナ１４近傍に搬送されてきたら、ステップＳ１０１において、無線タグ回路素子Ｔoに記憶された情報を読み出す「Scroll
All ID」コマンドを信号処理回路２２に出力する。これに基づき信号処理回路２２で無線タグ情報としての「Scroll All ID」信号が生成されて高周波回路２１を介して読み取り対象の無線タグ回路素子Ｔoに送信され、返信を促す。
【０１７０】
次に、ステップＳ１０２において、上記「Scroll All ID」信号に対応して読み取り対象の無線タグ回路素子Ｔoから送信されたリプライ信号（タグＩＤ等を含む無線タグ情報）をアンテナ１４を介して受信し、高周波回路２１及び信号処理回路２２を介し取り込む。
【０１７１】
次に、ステップＳ１０３において、上記ステップＳ１０２で受信したリプライ信号に誤りがないか否かを公知の誤り検出符号（ＣＲＣ符号；Cyclic Redundancy Check等）を用いて判定する。
【０１７２】
判定が満たされない場合はステップＳ１０４に移ってＮに１を加え、さらにステップＳ１０５においてＮ＝５かどうかが判定される。Ｎ≦４の場合は判定が満たされずステップＳ１０１に戻り同様の手順を繰り返す。Ｎ＝５の場合はステップＳ１０７に移り、フラグＦ＝１としてこのルーチンを終了する。このように、情報読み取りが不調でも５回までは再試行が行われることにより、読み取り確保上、万全を期すことができる。
【０１７３】
ステップＳ１０３の判定が満たされた場合、読み取り対象とする無線タグ回路素子Ｔoからの無線タグ情報の読み取りが完了し、このルーチンを終了する。
【０１７４】
以上のルーチンにより、カートリッジ内の読み取り対象の無線タグ回路素子Ｔoに対し、ＩＣ回路部の無線タグ情報（タグＩＤ情報等）にアクセスし、これを読み出すことができる。
【０１７５】
本変形例によっても、上記実施形態と同様の効果を得ることができる。
【０１７６】
（５）その他
(a）記憶装置の他形態
以上においては、記憶装置２００として、ハードディスクを例にとって説明したが、これに限られず、いわゆるＳＤ（Secure Digital）メモリカード等の不揮発性のメモリ媒体を用いてもよい。
【０１７７】
また、記憶装置２００を、無線タグ情報管理装置２の装置本体８に対し着脱可能に設けてもよい。この場合、必要に応じ自由自在に装置本体８側に取り付けたり、取り外したりすることができるので、例えば、操作者別あるいは用途別にそれぞれ記憶装置を用意しておき、使用時のつどそれぞれを着脱して使用することが可能となる。また、バックアップも容易に取ることができる。
【０１７８】
(b)テープや被印字媒体の他形態
以上においては、印字後の被印字媒体としてのカバーフィルム１０３と基材テープ１０１とを貼り合わせて印字済タグラベル用テープ１１０としこれを切断して無線タグラベルＴとする場合を例にとって説明したが、これに限られない。印字済の被印字媒体とこれに貼り合わせるべき（＝関連づけられる）無線タグ回路素子Ｔo入りテープとを別々に作成して装置外へ排出し、ユーザがその別々に作成された被印字媒体とタグ入りテープとを貼り合わせるようなタグラベル作成装置に本発明を適用してもよい。また例えば被印字媒体自体に無線タグ回路素子Ｔoを配置し、この被印字媒体に印字ヘッドで印字を行うとともにそれに含まれる無線タグ回路素子Ｔoに対し情報読み取り又は書き込みを行って無線タグラベルＴを作成してもよい。
【０１７９】
さらに、以上においては、被印字媒体として、第２ロール１０４から繰り出されるテープ状のカバーフィルム１０３を例にとって説明したが、これに限られず、いわゆる平紙（シート）状のラベル素材をトレイ状のカートリッジから適宜の駆動ローラ（駆動手段）にて供給し、これに印字を行うようにしてもよい。
【０１８０】
なお、既に述べた以外にも、上記実施形態や各変形例による手法を適宜組み合わせて利用しても良い。
【０１８１】
以上で用いた「Erase」信号、「Verify」信号、「Program」信号等は、ＥＰＣ  ｇｌｏｂａｌが策定した仕様に準拠しているものとする。ＥＰＣ  ｇｌｏｂａｌは、流通コードの国際機関である国際ＥＡＮ協会と、米国の流通コード機関であるＵｎｉｆｏｒｍｅｄ  Ｃｏｄｅ  Ｃｏｕｎｃｉｌ（ＵＣＣ）が共同で設立した非営利法人である。なお、他の規格に準拠した信号でも、同様の機能を果たすものであればよい。
【０１８２】
その他、一々例示はしないが、本発明は、その趣旨を逸脱しない範囲内において、種々の変更が加えられて実施されるものである。
【図面の簡単な説明】
【０１８３】
【図１】本発明の一実施形態の無線タグ情報管理装置が適用される無線タグ情報管理システムを表すシステム構成図である。
【図２】図１に示した無線タグ情報管理装置の詳細構造を表す概念的構成図である。
【図３】図２に示したカートリッジの詳細構造を説明するための説明図である。
【図４】図３に示した高周波回路の詳細機能を表す機能ブロック図である。
【図５】無線タグ回路素子の機能的構成を表す機能ブロック図である。
【図６】無線タグラベルの外観の一例を表す上面図及び下面図である。
【図７】図６中VII−VII′断面による横断面図である。
【図８】無線タグ情報へのアクセスに際し、操作端末に表示される画面の一例を表す図である。
【図９】端末からの操作信号に基づき、無線タグ情報管理装置の記憶装置アクセス機能、タグ情報アクセス機能、印字機能がそれぞれ実行される際の概念的なタイムチャートである
【図１０】図９のステップＳＳ５０３にてデータベース参照指令信号が出力されるにあたり端末の表示手段において表示されるデータベース選択用の画面を表す図である。
【図１１】端末の表示手段に表示されたデータレコードの一例を表す図である。
【図１２】端末の表示手段に表示されたデータレコードの一例を表す図である。
【図１３】無線タグ回路素子のタグＩＤの設定（付番）を自動割り当て方式で行うか手動入力方式で行うかを選択するために操作を行うために表示手段において表示される選択操作用の画面を表す図である。
【図１４】制御回路によって実行される制御手順を表すフローチャートである。
【図１５】図１４のステップＳ３０の詳細手順を表すフローチャートである。
【図１６】図１に示したスキャナの機能的構成の詳細を表す機能ブロック図である。
【図１７】ＲＦ通信制御部及びアンテナの詳細構成を表す機能ブロック図である。
【図１８】スキャナの動作を表す概念的なタイムチャートである。
【図１９】スキャナによるタグ検出動作時のＣＰＵによる処理手順を表すフローチャートである。
【図２０】操作端末と無線タグ情報管理装置のみが局所ネットワークにて接続された変形例を表す図である。
【図２１】無線タグ情報管理装置単体がすべての機能を備える変形例における概念的構成図である。
【図２２】無線タグ情報管理装置で実行される概念的なタイムチャートである。
【図２３】読み取り専用の無線タグ回路素子を用いる変形例において無線タグ情報管理装置の動作を表す概念的なタイムチャートである。
【図２４】無線タグ情報管理装置の制御回路が実行する無線タグ読み込み処理の詳細手順を表すフローチャートである。
【符号の説明】
【０１８４】
２            無線タグ情報管理装置
２′          無線タグ情報管理装置
４            ルートサーバ（第２データベース）
７            情報サーバ（第２データベース）
１０          印字ヘッド（印字手段）
１２          圧着ローラ駆動軸（駆動手段）
１４          アンテナ（アンテナ手段）
２１          高周波回路
２２          信号処理回路（タグ識別情報生成）
３０          制御回路（第１データアクセス手段、問い合わせ信号生成手段；
第２データアクセス手段）
３２          送信部（タグ識別情報生成手段、書き込み手段）
１００        カートリッジ
１０１        基材テープ（タグテープ）
１０２        第１ロール（タグテープロール）
１５１        ＩＣ回路部
１５２        アンテナ
２００        記憶装置
２０１        データベース（第１データベース）
５００        スキャナ（無線タグ情報読み取り装置）
５３０        アンテナ（アンテナ手段）
Ｔ            無線タグラベル（無線タグ）
Ｔo           無線タグ回路素子
【図１】
2006209264.tif 000003
【図２】
2006209264.tif 000004
【図３】
2006209264.tif 000005
【図４】
2006209264.tif 000006
【図５】
2006209264.tif 000007
【図６】
2006209264.tif 000008
【図７】
2006209264.tif 000009
【図８】
2006209264.tif 000010
【図９】
2006209264.tif 000011
【図１０】
2006209264.tif 000012
【図１１】
2006209264.tif 000013
【図１２】
2006209264.tif 000014
【図１３】
2006209264.tif 000015
【図１４】
2006209264.tif 000016
【図１５】
2006209264.tif 000017
【図１６】
2006209264.tif 000018
【図１７】
2006209264.tif 000019
【図１８】
2006209264.tif 000020
【図１９】
2006209264.tif 000021
【図２０】
2006209264.tif 000022
【図２１】
2006209264.tif 000023
【図２２】
2006209264.tif 000024
【図２３】
2006209264.tif 000025
【図２４】
2006209264.tif 000026